(57)【要約】【課題】本発明は、太陽電池パネルの強度を確保しつつ、太陽電池パネルの昇温を抑制できる太陽電池モジュール、当該太陽電池モジュールを用いた屋根構造、並びに太陽電池モジュールの一部を構成する裏面補強部材を提供する。【解決手段】太陽電池パネルと、太陽電池パネルの裏面に対して一体に取り付けられる裏面補強部材３を有し、太陽電池パネルの受光面が傾斜した状態で設置されるものであり、裏面補強部材３は、有底の通気用溝部８１〜８４を有しており、太陽電池パネルの裏面と通気用溝部８１〜８４によって気体が通過可能な通気用流路が形成されるものであり、通気用流路は、設置時に、傾斜方向における一方の端部側から他方の端部側まで延びる第１流路と、第１流路の中途から分岐して延びる第２流路を含む構成とする。【選択図】図１０
2017028994.tif 000002
【特許請求の範囲】
【請求項１】
太陽電池パネルと、前記太陽電池パネルの裏面に対して一体に取り付けられる裏面補強部材を有した太陽電池モジュールであって、
前記太陽電池パネルの受光面が傾斜した状態で設置される太陽電池モジュールにおいて、
前記裏面補強部材は、有底の溝部を有しており、
前記太陽電池パネルの裏面と前記溝部によって気体が通過可能な通気用流路が形成されるものであり、
前記通気用流路は、設置時に、傾斜方向における一方の端部側から他方の端部側まで延びる第１流路と、前記第１流路の中途から分岐して延びる第２流路を含むことを特徴とする太陽電池モジュール。
【請求項２】
前記第２流路は、前記第１流路と異なる方向に延びて外部と連通していることを特徴とする請求項１に記載の太陽電池モジュール。
【請求項３】
前記溝部は、その溝部内において半島状又は島状に孤立し、前記太陽電池パネルの裏面の一部を支持する第１支持部を備えており、
前記第１流路は、前記第１支持部によって複数に分岐されていることを特徴とする請求項１又は２に記載の太陽電池モジュール。
【請求項４】
前記第１流路に隣接して形成され、前記太陽電池パネルの裏面の一部を支持する第２支持部を備えており、
前記第２支持部は、前記第１流路の延び方向に対して交差する方向に延びた分岐溝を形成しており、
前記第２流路は、前記太陽電池パネルの裏面と前記分岐溝によって形成され、前記第２支持部によって内壁の一部が構成されていることを特徴とする請求項１〜３のいずれかに記載の太陽電池モジュール。
【請求項５】
前記太陽電池パネルは、横長の板状であって、横方向の対向する二辺を備えており、
前記裏面補強部材は、前記太陽電池パネルの前記横方向の対向する二辺間を横断するものであって、複数の本体部と、隣接する本体部間を繋ぐ橋渡し部を有し、
前記太陽電池パネルの裏面と各本体部との間に前記通気用流路が形成されていることを特徴とする請求項１〜４のいずれかに記載の太陽電池モジュール。
【請求項６】
前記本体部は、他の部分に対して隆起した隆起部を有し、
前記橋渡し部は、隣接する本体部間の隆起部同士を接続していることを特徴とする請求項５に記載の太陽電池モジュール。
【請求項７】
長方形状の太陽電池パネルを有し、他の太陽電池モジュールとともに前記太陽電池パネルの長手方向に並設される太陽電池モジュールであって、
前記受光面を平面視したときに、前記太陽電池パネルの対向する短辺は、いずれもその大部分又は全部が直接視認可能であることを特徴とする請求項１〜６のいずれかに記載の太陽電池モジュール。
【請求項８】
前記太陽電池パネルは、端子ボックスと、前記端子ボックスから延設されたケーブル部を有し、
前記裏面補強部材は、前記ケーブル部の一部又は全部を嵌合して前記ケーブル部を保持可能なケーブル保持部を有していることを特徴とする請求項１〜７のいずれかに記載の太陽電池モジュール。
【請求項９】
前記太陽電池パネルは、放熱板を有し、
前記放熱板は、前記太陽電池パネルの裏面を構成するものであって、前記通気用流路の内壁の一部を構成していることを特徴とする請求項１〜８のいずれかに記載の太陽電池モジュール。
【請求項１０】
前記太陽電池パネルは、太陽電池セルと、表面側封止部材と、裏面側封止部材を備えており、
前記太陽電池セルは、前記表面側封止部材と前記裏面側封止部材の間に挟まれて封止されており、
前記裏面側封止部材は、封止フィルムであって、かつ、前記通気用流路の内壁を構成していることを特徴とする請求項１〜６のいずれかに記載の太陽電池モジュール。
【請求項１１】
太陽電池パネルと、前記太陽電池パネルの裏面に対して一体に取り付けられる裏面補強部材を有した太陽電池モジュールにおいて、
前記裏面補強部材は、有底の溝部を有しており、
前記太陽電池パネルの裏面と前記溝部によって気体が通過可能な通気用流路が形成されるものであり、
前記通気用流路は、前記太陽電池パネルの一の端部側から他の端部側まで延びる第１流路と、前記第１流路の中途から分岐して延びる第２流路を含み、
前記第１流路の少なくとも一方の端部は、外部と連通していることを特徴とする太陽電池モジュール。
【請求項１２】
屋根下地に対して軒先側に位置する他の太陽電池モジュール又は瓦部材とともに屋根の軒棟方向に取り付けられ、少なくとも前記他の太陽電池モジュール又は前記瓦部材上に一部分が段状に重なり部分をもって配置される太陽電池モジュールであって、
前記太陽電池パネルの軒先側端部を保持する軒先側保持部を有し、
前記瓦部材は、軒先側保持部と係合可能な係合部が取り付けられており、
前記他の太陽電池モジュール又は前記瓦部材とともに屋根下地に設置したときに、前記軒先側が軒先側に隣接する他の太陽電池モジュールの一部又は前記瓦部材に取り付けられた係合部と係合し、前記隣接する他の太陽電池モジュール又は前記係合部によって天地方向への移動が制限されることを特徴とする請求項１〜９のいずれかに記載の太陽電池モジュール。
【請求項１３】
請求項１〜９のいずれかに記載の太陽電池モジュールを備え、
複数の瓦部材が葺かれた基礎屋根構造上に取付金具を用いて前記太陽電池モジュールが取り付けられた屋根構造であって、
前記取付金具は、第１凹部と、前記第１凹部と逆方向に開口した第２凹部を有し、
前記取付金具は、前記第１凹部に前記瓦部材の一部が挿入されて基礎屋根構造に対して固定され、前記第２凹部に前記太陽電池モジュールの一部を挿入させて前記太陽電池モジュールを保持していることを特徴とする屋根構造。
【請求項１４】
前記第１凹部の天面と前記第２凹部の底面は、共通の部材によって形成されていることを特徴とする請求項１３に記載の屋根構造。
【請求項１５】
太陽電池パネルの受光面が傾斜した状態で設置される太陽電池モジュールの一部を構成する裏面補強部材であって、
太陽電池パネルの裏面に対して一体に取り付けられる裏面補強部材において、
有底の溝部を有しており、
前記溝部は、前記太陽電池パネルの裏面とともに気体が通過可能な通気用流路を形成するものであり、
前記通気用流路は、太陽電池モジュールの設置時に、傾斜方向における一方の端部側から他方の端部側まで延びる第１流路と、前記第１流路の中途から分岐して延びる第２流路を含み、前記第１流路の少なくとも一方の端部は、外部と連通していることを特徴とする裏面補強部材。
【発明の詳細な説明】
【技術分野】
【０００１】
本発明は、太陽電池モジュール、屋根構造、並びに、裏面補強部材に関する。
【背景技術】
【０００２】
従来から、光エネルギーを電気エネルギーに変換する光電変換装置として、太陽電池モジュールが知られている。この太陽電池モジュールは、建屋の屋根等の構造物に直接又は金具等を介して取り付けて主に太陽光を集光するものである。
【０００３】
近年、美的外観を向上させる観点から、太陽電池パネルの外周部分にフレームを取り付けないフレームレス太陽電池モジュールが開発されている（例えば、特許文献１）。
しかしながら、このフレームレス太陽電池モジュールは、太陽電池パネルにフレームを装着しない分、従来のフレーム付きの太陽電池モジュールに比べて、強度が弱くなってしまうという問題がある。特に、屋根等の高所にこの太陽電池モジュールを設置する場合、吹き上げ荷重等がかかるため、場合によっては、太陽電池モジュールの破損につながるおそれもある。
【先行技術文献】
【特許文献】
【０００４】
【特許文献１】特許第５５８２９３６号公報
【発明の概要】
【発明が解決しようとする課題】
【０００５】
そこで、本発明者は、太陽電池パネルの裏面に太陽電池パネルの強度を補強する裏面補強板を設けた太陽電池モジュールを試作した。この試作した太陽電池モジュールは、太陽電池パネルの裏面に裏面補強板を面接着させることによって補強したものである。
【０００６】
しかしながら、この試作した太陽電池モジュールを検討した結果、新たな問題が発生した。すなわち、太陽電池パネルの裏面に裏面補強板を面接触させると、太陽電池パネルで発生した熱が太陽電池パネルの裏面と裏面補強板との間にこもってしまい、太陽電池パネルの温度が上昇するという問題が生じた。太陽電池パネルの温度が異常に上昇しすぎると、太陽電池パネルの劣化が促進され、安全性・信頼性が損なわれる懸念がある。
【０００７】
そこで、本発明は、太陽電池パネルの強度を確保しつつ、太陽電池パネルの昇温を抑制できる太陽電池モジュール、当該太陽電池モジュールを用いた屋根構造、並びに太陽電池モジュールの一部を構成する裏面補強部材を提供することを課題とする。
【課題を解決するための手段】
【０００８】
上記した課題を解決するための請求項１に記載の発明は、太陽電池パネルと、前記太陽電池パネルの裏面に対して一体に取り付けられる裏面補強部材を有した太陽電池モジュールであって、前記太陽電池パネルの受光面が傾斜した状態で設置される太陽電池モジュールにおいて、前記裏面補強部材は、有底の溝部を有しており、前記太陽電池パネルの裏面と前記溝部によって気体が通過可能な通気用流路が形成されるものであり、前記通気用流路は、設置時に、傾斜方向における一方の端部側から他方の端部側まで延びる第１流路と、前記第１流路の中途から分岐して延びる第２流路を含むことを特徴とする太陽電池モジュールである。
【０００９】
ここでいう「一方の端部側から他方の端部側まで延びる」とは、流路全体として延びていることをいい、必ずしも直線状に延びる必要はない。すなわち、流路全体として一方の端部側から他方の端部側への方向ベクトルをもっていれば、その中腹部分は曲線状に延びていてもよい。
【００１０】
本発明の構成によれば、裏面補強部材によって太陽電池パネルが補強されているため、太陽電池パネルがフレームレス太陽電池パネルである場合であっても、太陽電池パネルの機械的強度を保持できる。
また、本発明の構成によれば、太陽電池パネルの裏面と裏面補強部材との間に、空気等の気体が通過可能な通気用流路が形成されており、当該通気用流路が傾斜方向における一方の端部側から他方の端部側まで延びる第１流路とともに第１流路の中途から分岐する第２流路を備えている。そのため、太陽電池パネルが発電時に温度上昇しても、第１流路及び第２流路のそれぞれを通過する空気等の気体によって太陽電池パネルの熱を奪うことができる。すなわち、本発明の構成によれば、太陽電池パネルで生じた発熱を空気等の気体で熱交換できるため、太陽電池パネルの裏面と裏面補強部材との間で熱がこもることを防止でき、太陽電池パネルの異常な昇温を抑制できる。それ故に、従来に比べて、太陽電池パネルの劣化が抑制され、安全性・信頼性に優れた太陽電池モジュールとなる。
【００１１】
上記した発明は、前記第１流路の少なくとも一方の端部は、外部と連通していることが好ましい。
【００１２】
この構成によれば、第１流路内に空気を導入して熱交換することができる。
【００１３】
請求項２に記載の発明は、前記第２流路は、前記第１流路と異なる方向に延びて外部と連通していることを特徴とする請求項１に記載の太陽電池モジュールである。
【００１４】
本発明の構成によれば、第２流路が第１流路の端部とは別の開口を通じて外部と連通している。すなわち、通気用流路は、第１流路の上流端及び下流端以外の部分でも外部と連通しているため、通気用流路内を通過する気体の置換が起こりやすく、太陽電池パネルの冷却機能が高い。
【００１５】
ところで、太陽電池パネルとの熱交換の観点からは、溝部の幅を大きくして通気用流路の幅を大きくした方が空気等の通過量が大きくなり、熱交換がされやすい。その反面、溝部の幅を大きくすると、裏面補強部材と太陽電池パネルの裏面との接触面が小さくなってしまうため、裏面補強部材が持つ太陽電池パネルの機械的強度を補強するという機能は著しく低下してしまう問題がある。
【００１６】
そこで、請求項３に記載の発明は、前記溝部は、その溝部内において半島状又は島状に孤立し、前記太陽電池パネルの裏面の一部を支持する第１支持部を備えており、前記第１流路は、前記第１支持部によって複数に分岐されていることを特徴とする請求項１又は２に記載の太陽電池モジュールである。
【００１７】
本発明の構成によれば、第１流路を複数に分岐する第１支持部によって太陽電池パネルの裏面の一部が支持されているため、裏面補強部材と太陽電池パネルの裏面との接触面積を確保しつつ、第１流路の総断面積の低下を抑えることができる。
【００１８】
請求項４に記載の発明は、前記第１流路に隣接して形成され、前記太陽電池パネルの裏面の一部を支持する第２支持部を備えており、前記第２支持部は、前記第１流路の延び方向に対して交差する方向に延びた分岐溝を形成しており、前記第２流路は、前記太陽電池パネルの裏面と前記分岐溝によって形成され、前記第２支持部によって内壁の一部が構成されていることを特徴とする請求項１〜３のいずれかに記載の太陽電池モジュールである。
【００１９】
本発明の構成によれば、第２流路の内壁の一部を構成する第２支持部によって太陽電池パネルの裏面の一部が支持されているため、裏面補強部材と太陽電池パネルの裏面との接触面積を確保しつつ、第２流路を形成することができる。
【００２０】
請求項５に記載の発明は、前記太陽電池パネルは、横長の板状であって、横方向の対向する二辺を備えており、前記裏面補強部材は、前記太陽電池パネルの前記横方向の対向する二辺間を横断するものであって、複数の本体部と、隣接する本体部間を繋ぐ橋渡し部を有し、前記太陽電池パネルの裏面と各本体部との間に前記通気用流路が形成されていることを特徴とする請求項１〜４のいずれかに記載の太陽電池モジュールである。
【００２１】
本発明の構成によれば、太陽電池パネルの裏面と各本体部との間に通気用流路が形成されているため、太陽電池パネルへの冷却機能が高い。
【００２２】
請求項６に記載の発明は、前記本体部は、他の部分に対して隆起した隆起部を有し、前記橋渡し部は、隣接する本体部間の隆起部同士を接続していることを特徴とする請求項５に記載の太陽電池モジュールである。
【００２３】
本発明の構成によれば、橋渡し部は、隣接する本体部間の隆起部同士を接続している。すなわち、荷重がかかりやすい橋渡し部と本体部とのつなぎ部分に隆起部を配しているため、裏面補強部材が破損しにくい。
【００２４】
上記した発明は、前記本体部は、他の部分に対して隆起した隆起部を有し、前記隆起部は、裏面に裏面溝部を備えており、前記裏面溝部は、設置時の傾斜方向において、前記隆起部の一方の端部側から他方の端部側までに延びており、前記裏面溝部は、前記隆起部の厚み方向において、前記溝部を避けるように形成されていてもよい。
【００２５】
通常、建屋の屋根等の屋外に太陽電池モジュールを設置する場合、雨等に太陽電池モジュールが晒されることとなる。
この発明の太陽電池モジュールによれば、本体部に他の部分に対して隆起した隆起部を備えている。すなわち、この発明の太陽電池モジュールでは、隆起部と他の部分との間に段差が生じている。そのため、雨等の水が裏面補強部材の裏面を伝わると、当該段差によって堰き止められて水溜まりが生じてしまう可能性がある。
そこで、この発明の構成によれば、裏面溝部が形成されているため、裏面補強部材の裏面を伝わった水を裏面溝部から逃がすことができ、隆起部の段差による水溜まりの発生を抑制できる。
また、この発明の構成によれば、裏面溝部は、本体部の厚み方向において、溝部を避けるように形成されているので、溝部と裏面溝部が厚み方向に重ならず、極端に狭窄した部分が形成されない。そのため、裏面補強部材が破損しにくい。
【００２６】
上記した太陽電池モジュールにおいて、前記太陽電池パネルは、横長の板状であって、横方向に対向する二辺を備えており、前記太陽電池パネルの対向する二辺以外の辺は、前記受光面側からみたときに、その大部分又は全部が直接視認可能であってもよい。
【００２７】
ここでいう「大部分」とは、全体の７０パーセント以上の範囲をいう。
【００２８】
請求項７に記載の発明は、長方形状の太陽電池パネルを有し、他の太陽電池モジュールとともに前記太陽電池パネルの長手方向に並設される太陽電池モジュールであって、前記受光面を平面視したときに、前記太陽電池パネルの対向する短辺は、いずれもその大部分又は全部が直接視認可能であることを特徴とする請求項１〜６のいずれかに記載の太陽電池モジュールである。
【００２９】
本発明の構成によれば、太陽電池パネルの長手方向に対向する各辺が外部に直接露出しているので、例えば、他の太陽電池モジュールとともに屋根構造を形成したときに太陽電池パネルの受光面が他の太陽電池モジュールの受光面とともに実質的に連続した一つの平面を形成することができる。そのため、長手方向に隣接する太陽電池モジュールの受光面との間の継ぎ目が見えにくく、使用者に対して、各太陽電池モジュールの受光面が長手方向に一連となって延びた印象を与えることができる。
なお、ここでいう「実質的に連続」とは、途切れなく連続している場合だけではなく、若干の隙間（例えば、１．５ｃｍ以下）を空けて連続している場合も含む。
【００３０】
請求項８に記載の発明は、前記太陽電池パネルは、端子ボックスと、前記端子ボックスから延設されたケーブル部を有し、前記裏面補強部材は、前記ケーブル部の一部又は全部を嵌合して前記ケーブル部を保持可能なケーブル保持部を有していることを特徴とする請求項１〜７のいずれかに記載の太陽電池モジュールである。
【００３１】
本発明の構成によれば、裏面補強部材がケーブル保持部を有しているため、ケーブル部が敷設作業等の邪魔になりにくい。
【００３２】
請求項９に記載の発明は、前記太陽電池パネルは、放熱板を有し、前記放熱板は、前記太陽電池パネルの裏面を構成するものであって、前記通気用流路の内壁の一部を構成していることを特徴とする請求項１〜８のいずれかに記載の太陽電池モジュールである。
【００３３】
本発明の構成によれば、太陽電池パネルの裏面を構成する放熱板が通気用流路の内壁の一部を構成しているため、放熱板が冷却気体に晒されて、太陽電池パネルで発生した熱が放熱されやすい。
【００３４】
請求項１０に記載の発明は、前記太陽電池パネルは、太陽電池セルと、表面側封止部材と、裏面側封止部材を備えており、前記太陽電池セルは、前記表面側封止部材と前記裏面側封止部材の間に挟まれて封止されており、前記裏面側封止部材は、封止フィルムであって、かつ、前記通気用流路の内壁を構成していることを特徴とする請求項１〜６のいずれかに記載の太陽電池モジュールである。
【００３５】
本発明の構成によれば、封止フィルムたる裏面側封止部材が通気用流路の内壁を構成しているため、太陽電池セルと通気用流路を通過する空気等の気体との間で熱伝導しやすく、太陽電池セルの冷却機能が大きい。
【００３６】
ところで、太陽電池の代表例としては、シリコン系太陽電池がある。またこのシリコン系太陽電池は、薄膜シリコン太陽電池と、結晶シリコン系太陽電池がある。
この結晶シリコン系太陽電池は、薄膜シリコン太陽電池とは異なり、高温になればなるほど発電効率が低下する問題がある。
【００３７】
そこで、上記した発明において、前記太陽電池パネルは、結晶シリコン基板を含む結晶シリコン系太陽電池セルを備えるものであってもよい。
【００３８】
ここでいう「結晶シリコン系太陽電池」には、単結晶シリコン系太陽電池、多結晶シリコン系太陽電池、及び微結晶シリコン系太陽電池や、これらが複合されたハイブリット太陽電池などをいう。
【００３９】
この発明の構成によれば、上記した通気用流路によって温度上昇が抑制されるので、このような結晶シリコン系太陽電池パネルであっても、高い発電効率を維持することができる。
【００４０】
請求項１１に記載の発明は、太陽電池パネルと、前記太陽電池パネルの裏面に対して一体に取り付けられる裏面補強部材を有した太陽電池モジュールにおいて、前記裏面補強部材は、有底の溝部を有しており、前記太陽電池パネルの裏面と前記溝部によって気体が通過可能な通気用流路が形成されるものであり、前記通気用流路は、前記太陽電池パネルの一の端部側から他の端部側まで延びる第１流路と、前記第１流路の中途から分岐して延びる第２流路を含み、前記第１流路の少なくとも一方の端部は、外部と連通していることを特徴とする太陽電池モジュールである。
【００４１】
本発明の構成によれば、太陽電池パネルがフレームレス太陽電池パネルである場合であっても、太陽電池パネルの機械的強度を保持できる。
また、本発明の構成によれば、太陽電池パネルが発電時に温度上昇しても、第１流路及び第２流路のそれぞれを通過する空気等の気体によって太陽電池パネルの熱を奪うことができる。すなわち、太陽電池パネルで生じた発熱を空気等の気体で熱交換できるため、太陽電池パネルの裏面と裏面補強部材との間で熱がこもることを防止でき、太陽電池パネルの異常な昇温を抑制できる。それ故に、従来に比べて、太陽電池パネルの劣化が抑制され、安全性・信頼性に優れた太陽電池モジュールとなる。
【００４２】
請求項１２に記載の発明は、屋根下地に対して軒先側に位置する他の太陽電池モジュール又は瓦部材とともに屋根の軒棟方向に取り付けられ、少なくとも前記他の太陽電池モジュール又は前記瓦部材上に一部分が段状に重なり部分をもって配置される太陽電池モジュールであって、前記太陽電池パネルの軒先側端部を保持する軒先側保持部を有し、前記瓦部材は、軒先側保持部と係合可能な係合部が取り付けられており、前記他の太陽電池モジュール又は前記瓦部材とともに屋根下地に設置したときに、前記軒先側が軒先側に隣接する他の太陽電池モジュールの一部又は前記瓦部材に取り付けられた係合部と係合し、前記隣接する他の太陽電池モジュール又は前記係合部によって天地方向への移動が制限されることを特徴とする請求項１〜９のいずれかに記載の太陽電池モジュールである。
【００４３】
請求項１３に記載の発明は、請求項１〜９のいずれかに記載の太陽電池モジュールを備え、複数の瓦部材が葺かれた基礎屋根構造上に取付金具を用いて前記太陽電池モジュールが取り付けられた屋根構造であって、前記取付金具は、第１凹部と、前記第１凹部と逆方向に開口した第２凹部を有し、前記取付金具は、前記第１凹部に前記瓦部材の一部が挿入されて基礎屋根構造に対して固定され、前記第２凹部に前記太陽電池モジュールの一部を挿入させて前記太陽電池モジュールを保持していることを特徴とする屋根構造である。
【００４４】
本発明の構成によれば、瓦部材を取付金具の第１凹部に挿入させ、太陽電池モジュールを取付金具の第２凹部に挿入させることによって、瓦部材に対して太陽電池モジュールを取り付けるため、太陽電池モジュールが瓦部材から剥がれにくい。
【００４５】
請求項１４に記載の発明は、前記第１凹部の天面と前記第２凹部の底面は、共通の部材によって形成されていることを特徴とする請求項１３に記載の屋根構造である。
【００４６】
本発明の構成によれば、第１凹部の天面と第２凹部の底面が共通の部材によって形成されている。すなわち、第１凹部と第２凹部の高低差は、共通の部材の厚み分程度となり、瓦部材に対して太陽電池モジュールが近接又は接触した状態で固定されるので、太陽電池モジュールが他の瓦部材に対して浮いたように見えにくく、意匠性がよい。
【００４７】
請求項１５に記載の発明は、太陽電池パネルの受光面が傾斜した状態で設置される太陽電池モジュールの一部を構成する裏面補強部材であって、太陽電池パネルの裏面に対して一体に取り付けられる裏面補強部材において、有底の溝部を有しており、前記溝部は、前記太陽電池パネルの裏面とともに気体が通過可能な通気用流路を形成するものであり、前記通気用流路は、太陽電池モジュールの設置時に、傾斜方向における一方の端部側から他方の端部側まで延びる第１流路と、前記第１流路の中途から分岐して延びる第２流路を含み、前記第１流路の少なくとも一方の端部は、外部と連通していることを特徴とする裏面補強部材である。
【００４８】
本発明の構成によれば、太陽電池パネルがフレームレス太陽電池パネルである場合であっても、太陽電池パネルの機械的強度を保持できる。
また、本発明の構成によれば、太陽電池パネルが発電時に温度上昇しても、第１流路及び第２流路のそれぞれを通過する空気等の気体によって太陽電池パネルの熱を奪うことができる。すなわち、太陽電池パネルで生じた発熱を空気等の気体で熱交換できるため、太陽電池パネルに熱がこもることを防止でき、太陽電池パネルの異常な昇温を抑制できる。
【発明の効果】
【００４９】
本発明の太陽電池モジュール、屋根構造、及び裏面補強部材によれば、太陽電池パネルの強度を確保しつつ、太陽電池パネルの昇温を抑制できる。
【図面の簡単な説明】
【００５０】
【図１】本発明の第１実施形態の屋根構造を模式的に示した斜視図である。
【図２】図１の太陽電池モジュールの斜視図である。
【図３】図２の太陽電池モジュールを図２とは別の方向からみた斜視図である。
【図４】図２の太陽電池モジュールの一部破断斜視図であり、太陽電池パネルの一部を破断した斜視図である。
【図５】図２の太陽電池モジュールの断面斜視図である。
【図６】図２の太陽電池パネルの平面図である。
【図７】図６の太陽電池パネルの断面図である。
【図８】図４の裏面補強部材の斜視図である。
【図９】図８の裏面補強部材を図８とは別の方向からみた斜視図である。
【図１０】図８の裏面補強部材の平面図である。
【図１１】図８の裏面補強部材の側面図である。
【図１２】図２の太陽電池モジュールの通気用流路の説明図であり、（ａ）は主幹流路に空気が流れた状態を表し、（ｂ）は分岐流路に空気が流れた状態を表す。
【図１３】図１のスレート瓦の斜視図である。
【図１４】図１の中間取付金具の斜視図である。
【図１５】図１４の中間取付金具の断面図である。
【図１６】図１の屋根構造から太陽電池パネルを外した状態を表す断面図である。
【図１７】図１６の屋根構造のＡ領域の拡大図である。
【図１８】図１６の屋根構造のＢ領域の拡大図である。
【図１９】図１の屋根構造の断面図であり、軒先周辺を表している。
【図２０】図１９の屋根構造のＣ領域の拡大図である。
【図２１】図１９の屋根構造のＤ領域の拡大図である。
【図２２】図１の屋根構造の断面図であり、図１９よりも棟側を表している。
【図２３】本発明の第２実施形態の屋根構造を模式的に示した斜視図である。
【図２４】図２３の太陽電池モジュールの斜視図である。
【図２５】図２４の太陽電池モジュールにおいて太陽電池パネルを透過してみた斜視図であり、拡大図は補強桟周囲を表す。
【図２６】図２４の太陽電池パネルの分解図である。
【図２７】図２４の太陽電池モジュールを裏面側からみた斜視図である。
【図２８】図２７の裏面補強部材を表す説明図であり、（ａ）は裏面補強部材の正面図であり、（ｂ）は裏面補強部材の背面図である。
【図２９】図２８（ａ）の裏面補強部材の端部側本体部の付近の拡大図である。
【図３０】図２８（ａ）の裏面補強部材の中央端部側本体部の付近の拡大図である。
【図３１】図２４の太陽電池モジュールの保持部材の分解斜視図である。
【図３２】図２３の屋根構造の断面図である。
【図３３】図２３の屋根構造の一の太陽電池モジュールの周囲に注目した図であり、太陽電池モジュールを瓦部材から取り外した状態を示す斜視図である。
【図３４】図２３の屋根構造の一群の太陽電池モジュールの周囲に注目した図であり、（ａ）は一群の太陽電池モジュールの図であり、（ｂ）は（ａ）のＡ−Ａ断面図である。
【図３５】図２３の屋根構造において太陽電池モジュールにおける端部側本体部付近での空気の流れを表す説明図であり、（ａ）は通気路の本流路における空気の流れを表し、（ｂ）は通気路の副流路及び補助流路における空気の流れを表す。
【図３６】図２３の屋根構造において太陽電池モジュールにおける中央側本体部付近での空気の流れを表す説明図であり、（ａ）は通気路の本流路における空気の流れを表し、（ｂ）は通気路の副流路における空気の流れを表す。
【発明を実施するための形態】
【００５１】
以下、本発明の第１実施形態に係る太陽電池モジュール１について図面を参照しつつ詳細に説明する。なお、以下の説明において、前後方向、上下方向、並びに左右方向は、特に断りのない限り、図１で示される通常の設置状態を基準として説明する。
【００５２】
本発明の第１実施形態の太陽電池モジュール１は、図１に示されるように、主に建屋の屋根に設置されるものである。太陽電池モジュール１は、複数枚のスレート瓦２０２（瓦部材）が葺かれた基礎屋根構造２０３上に、軒先取付金具２０５と中間取付金具２０６を介して固定されて屋根構造２００を構成するものである。また、この屋根構造２００の必要部分には、部分的に雨仕舞板２０１が設置されている。
【００５３】
太陽電池モジュール１は、図３に示されるように、太陽電池パネル２と、裏面補強部材３を備えている。そして、太陽電池モジュール１は、太陽電池パネル２と裏面補強部材３によって気体が通過可能な通気用流路８が形成されており、当該通気用流路８に空気等の気体が通過することによって太陽電池パネル２を冷却可能としているところを主な特徴の一つとしている。
このことを踏まえて以下、太陽電池モジュール１について詳細に説明する。
【００５４】
太陽電池モジュール１は、図２に示されるように、太陽電池パネル２の縁端部にフレームを装着しない、いわゆるフレームレス太陽電池モジュールである。太陽電池モジュール１は、図２，図３から読み取れるように、主構成部材として、太陽電池パネル２と、裏面補強部材３と、端子ボックス５と、サイドガスケット６を備えている。
【００５５】
太陽電池パネル２は、結晶シリコン系太陽電池を実装する結晶型太陽電池パネルであり、支持基板として結晶シリコン基板を含むものである。
太陽電池パネル２は、図２に示されるように、面状に広がりをもった太陽電池パネルである。具体的には、太陽電池パネル２は、図６に示されるように四角形状の板状パネルであり、受光面１６を平面視したときに、横方向Ｘに対向する縦辺１２，１３（対向する二辺）と、これら縦辺１２，１３を繋ぎ縦方向Ｙに対向する横辺１０，１１（対向する二辺以外の辺）を備えている。すなわち、横辺１０，１１は、横方向Ｘに延びる長辺であり、縦辺１２，１３は、縦方向Ｙに延びる短辺である。
本実施形態の太陽電池パネル２は、図６に示されるように、横長の長方形状をしており、縦辺１２，１３に比べて横辺１０，１１が長い。
また、太陽電池パネル２は、上記したように、フレームが取り付けられておらず、太陽電池パネル２の横辺１０，１１は、受光面１６側からみたときに、その大部分又は全部が直接視認可能となっている。
【００５６】
太陽電池パネル２は、その大部分に光エネルギーを電気エネルギーに変換可能な発電可能領域１５を備えている。発電可能領域１５は、受光面１６の一部を構成する領域であって、受光面１６を正面視したときに太陽電池パネル２の大部分を占める領域である。
本実施形態の発電可能領域１５は、受光面１６を正面視したときに、横長の長方形状の領域であって、太陽電池パネル２の全面積の７０％以上占めている。
【００５７】
太陽電池パネル２の断面構造に注目すると、太陽電池パネル２は、図７に示されるように、２枚の封止部材２６，２７の間に光電変換素子２５が介在されており、封止部材２６，２７の間の隙間に充填材２８が充填されている。
本実施形態の太陽電池セル２０は、シリコン基板の両面にシリコン半導体層が積層した結晶シリコン系太陽電池である。すなわち、太陽電池セル２０は、２つの電極層３０，３２でシリコンを主成分とする光電変換部３１を挟んで形成されている。
【００５８】
受光面１６側の電極層３０は、透明導電層で形成された透明電極層である。電極層３０としては、例えば、酸化インジウム錫（ＩＴＯ）などの透明導電性酸化物が使用できる。
裏面側（受光面１６と反対側）の電極層３２は、金属層で形成された金属電極層である。電極層３２としては、例えば、アルミニウムなどの金属で形成したり、透明導電性酸化物層と金属層の多層構造で形成したりすることができる。
光電変換部３１は、少なくともｐ型半導体層とｎ型半導体層を有し、ＰＮ接合又はＰＩＮ接合を備えたものである。
【００５９】
受光面１６側の表面側封止部材２６は、板状の封止板である。表面側封止部材２６としては、例えば、ガラス基板などの透明絶縁板である。
裏面側封止部材２７は、封止板又は封止フィルムである。裏面側封止部材２７としては、例えば、ガラス基板などの絶縁板やＰＥＴフィルムなどの封止フィルムである。
本実施形態の表面側封止部材２６は、透明絶縁板であり、本実施形態の裏面側封止部材２７は、封止フィルムである。
充填材２８は、封止部材２６，２７間の空間を充填して封止する封止材である。
【００６０】
太陽電池パネル２の発電可能領域１５では、図６に示されるように、受光面１６を平面視すると、複数の太陽電池セル２０が縦横方向に広がりを持って分布し、複数の太陽電池ストリング２１，２２が形成されている。
具体的には、発電可能領域１５では、図６，図７から読み取れるように、各太陽電池セル２０が配線部材３５を介して直列接続されて各太陽電池ストリング２１，２２が形成されている。すなわち、横方向Ｘに隣接する太陽電池セル２０ａ，２０ｂは、一方の太陽電池セル２０ａの第２電極層３２が他方の太陽電池セル２０ｂの第１電極層３０ｂと電気的に接続されている。すなわち、横方向Ｘに隣接する太陽電池セル２０ａ，２０ｂは、電気的に直列接続されている。
【００６１】
また発電可能領域１５では、縦方向Ｙにおいて、各太陽電池ストリング２１，２２の一方の端部が、接続配線３４を介して接続されており、他方の端部が取出配線３６，３７を介して裏面側の端子ボックス５に接続されている。すなわち、縦方向Ｙに隣接する太陽電池ストリング２１，２２は接続配線３４を介して電気的に直列接続されている。
【００６２】
取出配線３６，３７は、上記した光電変換素子２５の電極層３０，３２と電気的に接続され、太陽電池パネル２から電気を取り出す配線である。すなわち、一方の取出配線３６は正極配線であり、他方の取出配線３７は負極配線である。
取出配線３６，３７は、その延設端が端子ボックス５（図３参照）の内部に引き込まれており、一方の取出配線３６が正極側ケーブル部４５と電気的に接続され、他方の取出配線３７が負極側ケーブル部４６と電気的に接続されている。
ケーブル部４５，４６は、ともに線状に延びた導電ケーブルである。
ケーブル部４５，４６は、配線部を備え、長手方向の一方の端部が取出配線３６，３７と接続されており、配線部の他方の端部にはコネクタ部４７，４８が設けられている。
正極コネクタ部４７は、他の太陽電池パネル２の負極コネクタ部４８と接続可能なコネクタであり、負極コネクタ部４８は、他の太陽電池パネル２の正極コネクタ部４７と接続可能なコネクタである。
【００６３】
裏面補強部材３は、図４に示されるように、太陽電池パネル２の裏面に接着されて、太陽電池パネル２の強度を補強する補強部材である。また、裏面補強部材３は、発泡樹脂製の部材であり、断熱性を有した断熱補強部材である。
裏面補強部材３は、全体的に太陽電池パネル２の長手方向に延びた部材であり、平面視したときに櫛歯状の部材である。本実施形態の裏面補強部材３は、全体的に横方向Ｘ（軒棟方向に対して直交する方向であって、天地方向に対して直交する方向）に延びている。
【００６４】
裏面補強部材３は、図８，図９に示されるように、複数の本体部５０，５１，５２と、各本体部５０，５１，５２を橋渡しする橋渡し部５３，５４を備えている。
本体部５０，５１，５２は、面状に広がりをもった略四角形状の部位であり、横方向Ｘに所定の間隔を空けて並設されている。
【００６５】
横方向Ｘの両端部側に位置する本体部５０，５２（以下、端部側本体部５０，５２ともいう）は、太陽電池パネル２の両端部分を補強する部位である。
横方向Ｘの中央側に位置する本体部５１（以下、中央側本体部５１ともいう）は、端部本体部５０，５２の間に位置し、太陽電池パネル２の中央部分を補強する部位である。
端部側本体部５０と中央側本体部５１は、橋渡し部５３によって接続されており、中央側本体部５１と端部側本体部５２は、橋渡し部５４によって接続されている。
【００６６】
本体部５０，５１，５２は、図９に示されるように、平板部５５，５６，５７と、平板部５５，５６，５７に連続し裏面の一部が隆起した隆起部６０，６１，６２を備えている。すなわち、本体部５０，５１，５２は、平板部５５，５６，５７の裏面と隆起部６０，６１，６２の裏面間で段差があり、平板部５５，５６，５７の裏面と隆起部６０，６１，６２の裏面は、立壁部６５，６６，６７を介して段状に連続している。
【００６７】
平板部５５，５６，５７は、略四角形状の部位であり、隆起部６０，６１，６２から縦方向Ｙ（軒棟方向）に張り出した板状部位である。
隆起部６０，６１，６２は、本体部５０，５１，５２の他の部分に比べて隆起した部位であり、主に橋渡し部５３，５４が接続される部位である。すなわち、隆起部６０，６１，６２は、平板部５５，５６，５７よりも肉厚となっている。
【００６８】
端部側本体部５０は、端子ボックス５の一部を収納するための収納用切り欠き部７０を備えている。
収納用切り欠き部７０は、平板部５５側から平板部５５及び隆起部６０の一部に跨って切り欠いた切り欠きである。すなわち、収納用切り欠き部７０は、隆起部６０の一部も切り欠いている。
【００６９】
また、中央側本体部５１は、平板部５６の一部が切り欠かれた中央切り欠き部７１を備えている。中央切り欠き部７１は、裏面補強部材３の横方向Ｘの中央に位置し、平板部５６の端部から隆起部６１に向かって縦方向Ｙ（軒棟方向）に延伸した切り欠きである。
中央切り欠き部７１は、隆起部６１には至っていない。すなわち、中央切り欠き部７１は、中央側本体部５１の平板部５６のみを２つの平板片７９，８０に分割している。
【００７０】
端部側本体部５０に属する隆起部６０（以下、端部側隆起部６０ともいう）は、図９に示されるように、縦方向Ｙの一方の端部から他方の端部まで延びた裏面溝部７５を備えている。
中央側本体部５１に属する隆起部６１（以下、中央側隆起部６１ともいう）は、縦方向Ｙの一方の端部から他方の端部まで延びた裏面溝部７６，７７を備えている。具体的には、中央側隆起部６１は、平板片７９，８０のそれぞれに対応するように裏面溝部７６，７７が形成されている。
端部側本体部５２に属する隆起部６２（以下、端部側隆起部６２ともいう）は、縦方向Ｙの一方の端部から他方の端部まで延びた裏面溝部７８を備えている。
裏面溝部７５，７６，７７，７８は、いずれも雨等の際に、太陽電池モジュール１の裏面を伝って流れる水等を通過させる水切り溝である。
【００７１】
端部側隆起部６０に形成された裏面溝部７５は、端部側隆起部６０の横方向Ｘの中間部であって、収納用切り欠き部７０に向かって縦に延びている。本実施形態では、裏面溝部７５は、端部側隆起部６０の横方向Ｘの中央付近に直線状に形成されている。
中央側隆起部６１に形成された裏面溝部７６，７７は、中央側隆起部６１の横方向Ｘの中間部であって、かつ中央切り欠き部７１よりも外側に形成されている。また、裏面溝部７６，７７は、それぞれ平板片７９，８０の横方向Ｘの中間部に向かって縦に延びている。本実施形態では、裏面溝部７６，７７は、それぞれ平板片７９，８０の横方向Ｘの中央に向かって直線状に形成されている。
端部側隆起部６２に形成された裏面溝部７８は、端部側隆起部６２の横方向Ｘの中間部に形成されており、平板部５７の中間部に向かって縦に延びている。本実施形態では、裏面溝部７８は、端部側隆起部６２の横方向Ｘの中央に直線状に形成されている。
【００７２】
裏面補強部材３の表面側（太陽電池パネル２側）に注目すると、裏面補強部材３は、図８に示されるように、端部側本体部５０に通気用溝部８１が形成されており、中央側本体部５１に複数の通気用溝部８２，８３が形成されており、端部側本体部５２に通気用溝部８４が形成されている。
通気用溝部８１，８２，８３，８４は、太陽電池モジュール１を組み立てたときに、太陽電池モジュール１の裏面との間に気体を通過させる溝であり、いずれも底部を有した有底溝である。
【００７３】
端部側本体部５０に属する通気用溝部８１は、端部側本体部５０において縦方向Ｙ（軒棟方向）全体に亘って形成された主幹溝部８５と、主幹溝部８５の延び方向中間部から延び方向に対して交差する方向に分岐した複数の分岐溝部８６，８７を備えている。
主幹溝部８５は、平板部５５に属する部分と、隆起部６０に属する部分とで溝幅が異なっており、平板部５５に属する部分では、隆起部６０に属する部分に比べて溝幅が大きい。
また、主幹溝部８５の平板部５５に属する部分は、その主幹溝部８５の延び方向中間部に主幹溝部８５の延び方向と同一方向に延びた第１支持部８８を備えている。
第１支持部８８は、主幹溝部８５内に島状に孤立した突条部であり、太陽電池モジュール１を組み立てたときに、太陽電池パネル２の裏面を支持する支持部でもある。
【００７４】
分岐溝部８６，８７は、平板部５５に形成された溝であり、主幹溝部８５から横方向Ｘの中央側に向けて延びた有底溝である。分岐溝部８６，８７は、縦方向Ｙにおいて所定の間隔を空けて並設されている。すなわち、分岐溝部８６，８７は、縦方向Ｙにおいて平板部５５を分割しており、分岐溝部８６，８７の間及びその両外側には、主幹溝部８５に沿って隣接するように縦方向Ｙに並設された支持壁部８９，９０，９１（第２支持部）が形成されている。
つまり、横方向Ｘにおいて、端部側本体部５０の平板部５５の中央側の角部には、支持壁部９１が配されており、端部側本体部５０の中央側の辺に沿って、基端側から順に支持壁部８９，９０，９１が並設されている。また、最も基端側に位置する支持壁部８９の先端面は、隆起部６０の表面と面一となっている。
【００７５】
中央側本体部５１に属する通気用溝部８２，８３は、隆起部６１から各平板片７９，８０に跨って形成されている。
通気用溝部８２，８３の形状は、中央を挟んで左右対称となっているだけなので、以下の説明においては、主に通気用溝部８２を中心に説明し、通気用溝部８３については、同一の符号を付して説明を省略する。
【００７６】
平板片８０を通過する通気用溝部８２は、縦方向Ｙ全体に亘って形成された主幹溝部９５と、主幹溝部９５の延び方向中間部から延び方向に対して交差する方向に分岐した複数の分岐溝部９６，９７，９８，９９を備えている。
主幹溝部９５は、平板部５６に属する部分と、隆起部６１に属する部分とで溝幅が異なっており、平板部５６に属する部分では、隆起部６１に属する部分に比べて溝幅が大きい。
また、主幹溝部９５の平板部５６に属する部分は、その主幹溝部９５の延び方向中間部に主幹溝部９５の延び方向と同一方向に延びた第１支持部１００を備えている。
第１支持部１００は、主幹溝部９５内に半島状に孤立した突条部であり、平板部５６の先端部から隆起部６１に向かって延びているが、隆起部６１には至っていない。すなわち、第１支持部１００は、分岐溝部９７，９９間を遮るように配されており、隆起部６１との間に隙間１０７が形成されている。そして、分岐溝部９６，９８は、隙間１０７を介して横方向Ｘに連通している。
【００７７】
分岐溝部９６，９７は、平板部５６に形成され、主幹溝部９５から横方向Ｘの中央側に向けて延びた有底溝である。具体的には、分岐溝部９６，９７は、主幹溝部９５から中央切り欠き部７１に向けて延びている。
また、分岐溝部９６，９７は、縦方向Ｙにおいて所定の間隔を空けて並設されている。すなわち、分岐溝部９６，９７は、縦方向Ｙにおいて平板部５６を分割しており、分岐溝部９６，９７の間及びその両外側には、主幹溝部９５に沿って隣接するように縦方向Ｙに並設された支持壁部１０１，１０２，１０３（第２支持部）が形成されている。つまり、平板片８０の平板部５６の中央側の角部には、支持壁部１０３が配されており、平板片８０の中央側の辺に沿って基端側から順に支持壁部１０１，１０２，１０３が並設されている。最も基端側に位置する支持壁部１０１の先端面は、隆起部６１の表面と面一となっている。
【００７８】
分岐溝部９８，９９は、分岐溝部９６，９７と同様、平板部５６に形成された溝であり、主幹溝部９５から分岐溝部９６，９７と反対側（端部側本体部５０側）に向けて延びた有底溝である。すなわち、分岐溝部９８，９９は、分岐溝部９６，９７に対して離反する方向に延びている。
また、分岐溝部９８，９９は、縦方向Ｙにおいて所定の間隔を空けて並設されている。すなわち、分岐溝部９８，９９は、縦方向Ｙにおいて平板部５６を分割しており、分岐溝部９８，９９の間及びその両外側には、主幹溝部９５に沿って隣接するように縦方向Ｙに並設された支持壁部１０４，１０５，１０６（第２支持部）が形成されている。つまり、平板片８０の平板部５６の外側（端部側本体部５０側）の角部には、支持壁部１０６が配されており、平板片８０の外側の辺に沿って支持壁部１０４，１０５，１０６が並設されている。最も基端側に位置する支持壁部１０４の先端面は、隆起部６１の表面と面一となっている。
【００７９】
端部側本体部５２に属する通気用溝部８４は、端部側本体部５２において縦方向Ｙ（軒棟方向）全体に亘って形成された主幹溝部１１０と、主幹溝部１１０の延び方向中間部から延び方向に対して交差する方向に分岐した複数の分岐溝部１１１，１１２を備えている。
主幹溝部１１０は、平板部５７に属する部分と、隆起部６２に属する部分とで溝幅が異なっており、平板部５７に属する部分では、隆起部６２に属する部分に比べて溝幅が大きい。
また、主幹溝部１１０の平板部５７に属する部分は、その主幹溝部１１０の延び方向中間部に主幹溝部１１０の延び方向と同一方向に延びた第１支持部１１３を備えている。
第１支持部１１３は、主幹溝部１１０内に半島状に孤立した突条部であり、端部側本体部５２の端部から隆起部６２に向かって延びているが、隆起部６２には至っていない。すなわち、第１支持部１１３は、分岐溝部１１１の延び方向を遮るように配されており、隆起部６２との間に隙間１１７が形成されている。
【００８０】
分岐溝部１１１，１１２は、平板部５７に形成された溝であり、主幹溝部１１０から横方向Ｘの中央側に向けて延びた有底溝である。分岐溝部１１１，１１２は、縦方向Ｙにおいて所定の間隔を空けて並設されている。すなわち、分岐溝部１１１，１１２は、縦方向Ｙにおいて平板部５７を分割しており、分岐溝部１１１，１１２の間及びその両外側には、主幹溝部１１０に沿って隣接するように縦方向Ｙに並設された支持壁部１１４，１１５，１１６（第２支持部）が形成されている。
つまり、端部側本体部５２の平板部５７の中央側の角部には、支持壁部１１６が配されており、端部側本体部５２の中央側の辺に沿って基端側から順に支持壁部１１４，１１５，１１６が並設されている。最も基端側に位置する支持壁部１１４の先端面は、隆起部６２の表面と面一となっている。
【００８１】
橋渡し部５３，５４は、図１０に示されるように横方向Ｘに延びた長板状の部位である。橋渡し部５３は、隆起部６０，６１を繋いでおり、橋渡し部５４は、隆起部６１，６２を繋いでいる。
橋渡し部５３，５４の表面は、図１１に示されるように隆起部６０，６１，６２の表面と同一平面を形成しており、面一となっている。一方、橋渡し部５３，５４の裏面は、隆起部６０，６１，６２の裏面に対して窪んでいる。すなわち、橋渡し部５３，５４の厚みは、隆起部６１，６２の厚みよりも薄い。
【００８２】
ここで、裏面補強部材３を構成する各部位の位置関係について説明する。
【００８３】
裏面補強部材３は、図１１に示されるように、中央側隆起部６１において、表面側に位置する主幹溝部９５，９５が、裏面側に位置する裏面溝部７６，７７の内側に位置している。また、中央側隆起部６１において、主幹溝部９５，９５の間の部分には、溝が形成されていない。すなわち、中央切り欠き部７１に対応する部分（平板片７９，８０の間に位置する部分）は、溝が形成されていない。
裏面補強部材３は、端部側隆起部６０，６２において、表面側に位置する主幹溝部８５，１１０が、裏面側に位置する裏面溝部７５，７８の外側に位置している。
【００８４】
収納用切り欠き部７０は、図１０に示されるように、横方向Ｘにおいて、主幹溝部８５の内側であって、橋渡し部５３の外側に位置している。
中央切り欠き部７１は、裏面補強部材３の中央であって、主幹溝部９５，９５の内側に位置している。
【００８５】
平板片７９の分岐溝部９６，９７は、平板片８０の分岐溝部９６，９７と中央切り欠き部７１を介して連通しており、同一直線状に並んでいる。
平板片８０の分岐溝部９８，９９は、端部側本体部５０の分岐溝部８６，８７と同一直線状に並んでおり、平板片７９の分岐溝部９８，９９は、端部側本体部５２の分岐溝部１１１，１１２と同一直線状に並んでいる。
各第１支持部８８，１００，１００，１１３は、いずれも縦方向Ｙ（軒棟方向）に延びており、互いに平行となっている。
【００８６】
端子ボックス５は、図３に示されるように筐体部と正極側ケーブル部４５と負極側ケーブル部４６を備えており、太陽電池パネル２の取出配線３６，３７を筐体部の内部に引き込んで、ケーブル部４５，４６に接続する部材である。
【００８７】
サイドガスケット６は、図５に示されるように、太陽電池パネル２と、裏面補強部材３を一体化させる部材である。
サイドガスケット６は、断面形状が「コ」字状をした凹部４０を有しており、凹部４０に太陽電池パネル２及び裏面補強部材３の側端の一部を挿入して、太陽電池パネル２及び裏面補強部材３が一体となるように挟持可能となっている。
【００８８】
続いて、第１実施形態の太陽電池モジュール１の各部材の位置関係について説明する。
【００８９】
太陽電池モジュール１は、図４，図５から読み取れるように、太陽電池パネル２の裏面に接着剤等（図示しない）を介して裏面補強部材３が接着されており、さらにサイドガスケット６によって、太陽電池パネル２及び裏面補強部材３の側端部が挟持されている。
端部側本体部５０は、図８から読み取れるように、その外縁に沿って隆起部６０、支持壁部８９，９０，９１、及び第１支持部８８が周方向に並設されている。端部側本体部５０の隆起部６０、支持壁部８９，９０，９１、及び第１支持部８８のそれぞれの先端面は、同一平面を形成しており、それぞれ太陽電池パネル２の裏面を支持している。
収納用切り欠き部７０内には、端子ボックス５が収納されている。裏面溝部７５は、端子ボックス５に向かって延びている。
【００９０】
中央側本体部５１は、その外縁に沿って隆起部６１、支持壁部１０１〜１０６、及び第１支持部１００が周方向に並設されている。これら隆起部６１、支持壁部１０１〜１０６、及び第１支持部１００のそれぞれの先端面は、同一平面を形成しており、それぞれ太陽電池パネル２の裏面を支持している。
【００９１】
端部側本体部５２は、その外縁に沿って隆起部６２、支持壁部１１４，１１５，１１６、及び第１支持部１１３が周方向に並設されている。これら隆起部６２、支持壁部１１４，１１５，１１６、及び第１支持部１１３のそれぞれの先端面は、同一平面を形成しており、太陽電池パネル２の裏面を支持している。
【００９２】
太陽電池モジュール１は、太陽電池パネル２の裏面と裏面補強部材３の通気用溝部８１，８２，８３，８４によって通気路１２０，１２１，１２２，１２３からなる通気用流路８が形成されている。
通気用流路８は、気体が通過可能な流路であり、気体を通過させることで、太陽電池パネル２の裏面を気体に晒して冷却する流路である。
【００９３】
通気路１２０は、通気用溝部８１に沿って形成された流路である。通気路１２０は、軒先側から棟側に向けて、第１合流経路１２９、第１分岐経路１３０又は第２分岐経路１３１、及び第２合流経路１３２を経て縦方向Ｙ（軒棟方向）に連続している。
すなわち、通気路１２０は、図１２（ａ）に示されるように、軒先側から棟側に向けて風が流れたと仮定したときに、一方の端部（軒先側端部）から第１合流経路１２９に入り、第１支持部８８によって、第１合流経路１２９から第１分岐経路１３０及び第２分岐経路１３１に分岐され、第１支持部８８を超えると再度合流して第２合流経路１３２を経て他方の端部（棟側端部）に至る主幹流路１２５（第１流路）が形成されている。
また、通気路１２０は、図１２（ｂ）に示されるように、第２分岐経路１３１の中流から中央側に分岐した第３分岐経路１３３及び第４分岐経路１３４を備えている。すなわち、第２分岐経路１３１は、その中途で分岐溝部８６，８７によって第３分岐経路１３３、第４分岐経路１３４に分岐されている。つまり、通気路１２０は、軒先側から棟側に向けて一方の端部（軒先側端部）から第１合流経路１２９に入り、第２分岐経路１３１に至って、第３分岐経路１３３又は第４分岐経路１３４から外部に逃げる分岐流路１２６，１２７（第１流路）が形成されている。
このように、通気路１２０は、縦方向Ｙに縦断する主幹流路１２５と、主幹流路１２５と異なる方向に延びて外部と連通する分岐流路１２６，１２７を備えており、各分岐流路１２６，１２７は、主幹流路１２５の中途から分岐している。
【００９４】
通気路１２１は、図１２に示されるように、通気用溝部８２に沿って形成された流路である。
通気路１２１は、軒先側から棟側に向けて、第１合流経路１４１、第１分岐経路１４２又は第２分岐経路１４３を経て縦方向Ｙに連続している。すなわち、通気路１２１は、図１２（ａ）に示されるように、軒先側から棟側に向けて風が流れたと仮定したときに、一方の端部（軒先側端部）から第１合流経路１４１に入り、第１支持部１００によって第１合流経路１４１から第１分岐経路１４２及び第２分岐経路１４３に分岐されて他方の端部（棟側端部）に至る主幹流路１３５（第１流路）が形成されている。
【００９５】
また、通気路１２１は、図１２（ｂ）に示されるように、第１分岐経路１４２の中流から横方向Ｘに分岐した第３分岐経路１４５及び第４分岐経路１４６を備えており、さらに第２分岐経路１４３の中流から横方向Ｘに分岐した第５分岐経路１４７及び第６分岐経路１４８を備えている。すなわち、第１分岐経路１４２は、その中途で分岐溝部９８，９９によって第３分岐経路１４５、第４分岐経路１４６に分岐されており、第２分岐経路１４３は、その中流で分岐溝部９６，９７によって第５分岐経路１４７、第６分岐経路１４８に分岐されている。
つまり、通気路１２１は、軒先側から棟側に向けて風が流れたと仮定したときに、第１合流経路１４１から入って第１分岐経路１４２に至り、第３分岐経路１４５又は第４分岐経路１４６から逃げる分岐流路１３６，１３７（第２流路）が形成されている。
また、通気路１２１は、図１２（ｂ）に示されるように、軒先側から棟側に向けて風が流れたと仮定したときに、第１合流経路１４１から入って第２分岐経路１４３に至り、第５分岐経路１４７又は第６分岐経路１４８から外部に逃げる分岐流路１３８，１３９（第２流路）が形成されている。
このように、通気路１２１は、縦方向Ｙに縦断する主幹流路１３５と、主幹流路１３５と異なる方向に延びて外部と連通する分岐流路１３６〜１３９を備えており、各分岐流路１３６〜１３９は、主幹流路１３５の中途から分岐している。
【００９６】
また第３分岐経路１４５と第５分岐経路１４７は、隙間１０７を介して連続している。すなわち、第３分岐経路１４５から入って隙間１０７を経由して第５分岐経路１４７から抜ける横断流路も形成されている。
【００９７】
通気路１２２は、通気用溝部８３に沿って形成された流路である。通気路１２２は、通気路１２１と左右対称であること以外は同様であるため説明を省略する。
【００９８】
通気路１２３は、通気用溝部８４に沿って形成された流路である。
通気路１２３は、軒先側から棟側に向けて、第１合流経路１５９、第１分岐経路１６０又は第２分岐経路１６１を経て縦方向Ｙ（軒棟方向）に連続している。すなわち、通気路１２３は、図１２（ａ）に示されるように、軒先側から棟側に向けて風が流れたと仮定したときに、一方の端部（軒先側端部）から第１合流経路１５９に入り、第１支持部１１３によって第１合流経路１５９から第１分岐経路１６０及び第２分岐経路１６１に分岐されて他方の端部（棟側端部）に至る主幹流路１５５（第１流路）が形成されている。
【００９９】
また、通気路１２３は、図１２（ｂ）に示されるように、第１分岐経路１６０の中流から横方向Ｘに分岐した第３分岐経路１６３及び第４分岐経路１６４を備えている。すなわち、第１分岐経路１６０は、その中流で分岐溝部１１１，１１２によって第３分岐経路１６３、第４分岐経路１６４に分岐されている。
つまり、通気路１２３は、軒先側から棟側に向けて風が流れたときに、第１合流経路１５９から入って第１分岐経路１６０に至り、第３分岐経路１６３又は第４分岐経路１６４から外部に逃げる分岐流路１５６，１５７（第２流路）が形成されている。
このように、通気路１２３は、縦方向Ｙに縦断する主幹流路１５５と、主幹流路１５５と異なる方向に延びて外部と連通する分岐流路１５６，１５７を備えており、各分岐流路１５６，１５７は、主幹流路１５５の中途から分岐している。
【０１００】
続いて、本実施形態の屋根構造２００の残りの構成部材について説明する。
【０１０１】
スレート瓦２０２は、公知のスレート瓦であり、天然石やセメント等によって形成された略長方形平板状の部材である。
このスレート瓦２０２には、図１３に示されるように、短手方向の中心近傍に取付孔２０８が複数設けられている。これら取付孔２０８は、長手方向に一列に並設されている。
【０１０２】
軒先取付金具２０５は、公知の軒先金具であり、図１７に示されるように、軒先に取り付けて太陽電池モジュール１の軒側の辺を保持可能な保持凹部２１３を備えている。
保持凹部２１３は、断面形状が略「コ」字状であって、軒先に取り付けたときに軒側に向かって窪んでいる。すなわち、保持凹部２１３は、その内部空間が棟側に向かって開放されている。
【０１０３】
中間取付金具２０６は、軒棟方向に隣接する太陽電池モジュール１，１間を接続する部材であり、図１４，図１５から読み取れるように、第１凹部２１０と、第２凹部２１１と、第３凹部２１２を備えている。
第１凹部２１０は、スレート瓦２０２の軒先端部を挟む部分である。第１凹部２１０は、図１５から読み取れるように、側面視略「コ」字状であって、第１板部２１５と、第２板部２１６と、第１板部２１５及び第２板部２１６の端部間を繋ぐ接続板部２１７から構成されている。すなわち、第１板部２１５と第２板部２１６は、ともに平板状であり、接続板部２１７から同一方向に延びている。
第１板部２１５の接続板部２１７からの延び方向の長さは、第２板部２１６の接続板部２１７からの延び方向の長さよりも短い。
【０１０４】
第１板部２１５には、部材厚方向に貫通した第１貫通孔２１８を備えている。
第２板部２１６には、第１板部２１５に対して上方に位置する板部であり、第２貫通孔２１９と、固定用貫通孔２２０を備えている。
第２貫通孔２１９は、部材厚方向に貫通した貫通孔であって、その中心が第１板部２１５の第１貫通孔２１８の中心とほぼ一致する貫通孔である。
固定用貫通孔２２０は、部材厚方向に貫通した貫通孔であって、中間取付金具２０６を屋根下地２５０に取り付けるための孔である。
【０１０５】
第２凹部２１１は、第１凹部２１０と反対方向（逆方向）に開口する凹部であり、軒棟方向において隣接する太陽電池モジュール１ａ，１ｂのうち、軒側の太陽電池モジュール１ｂの棟側の辺の一部を挟む部分である。
第２凹部２１１は、図１５から読み取れるように、側面視略「コ」字状であって、第１凹部２１０の一部を構成する第２板部２１６と、第２板部２１６に対して上方に位置する第３板部２２１と、第２板部２１６及び第３板部２２１の端部間を繋ぐ接続板部２２２から構成されている。すなわち、第２凹部２１１は、その一部が第１凹部２１０と共通の板部２１６によって構成されている。換言すると、第１凹部２１０の天面及び第２凹部２１１の底面は、板部２１６によって形成されている。
【０１０６】
第３凹部２１２は、第１凹部２１０と同一方向に開口する凹部であり、軒棟方向において隣接する太陽電池モジュール１ａ，１ｂのうち、棟側の太陽電池モジュール１ａの軒側の辺の一部を挟む部分である。
第３凹部２１２は、図１５から読み取れるように、側面視略「コ」字状であって、第２凹部２１１の一部を構成する第３板部２２１と、第３板部２２１に対して上方に位置する第４板部２２３と、第３板部２２１及び第４板部２２３の端部間を繋ぐ接続板部２２４から構成されている。すなわち、第３凹部２１２は、その一部が第２凹部２１１と共通の板部２２１によって構成されている。
【０１０７】
続いて、第１実施形態の屋根構造２００の各構成部材の位置関係について説明する。
【０１０８】
まず、基礎屋根構造２０３の位置関係について説明する。
基礎屋根構造２０３は、図１，図１６から読み取れるように、屋根下地上にスレート瓦２０２を列状及び複数段状に並べられている。すなわち、複数のスレート瓦２０２は、屋根下地上で平面的な広がりをもつように載置されている。
【０１０９】
屋根下地の軒先には、図１７に示されるように軒先水切が取り付けられており、その上に軒先取付金具２０５が載置されている。
軒先取付金具２０５には、軒側第１段目のスレート瓦２０２ａを２枚重ねて取り付けている。具体的には、屋根下地上に下方に位置するスレート瓦２０２ａ−１が取り付けられており、そのスレート瓦２０２ａ−１を覆うように上方に位置するスレート瓦２０２ａ−２が取り付けられている。軒側第２段目のスレート瓦２０２ｂは、軒側第１段目のスレート瓦２０２ａに対し、その一部を重ねた状態で配置されている。このスレート瓦２０２ａの取付孔２０８に釘等の締結要素を挿通して屋根下地に固定されている。
【０１１０】
第３段目のスレート瓦２０２ｃは、図１８に示されるように、スレート瓦２０２ｃの軒側端部が中間取付金具２０６の第１凹部２１０に挿入されている。そして、スレート瓦２０２ｃの軒側端部が、第１凹部２１０の内部に位置する第１板部２１５の第１貫通孔２１８を覆っている。つまり、第２板部２１６の下部には、その全域に第３段目のスレート瓦２０２ｃが存在している。
【０１１１】
第２板部２１６の後端側に設けられた固定用貫通孔２２０と、第３段目のスレート瓦２０２ｃの取付孔２０８は、互いに連通して連通孔を形成しており、当該連通孔にクギ等の締結要素が挿通されている。
中間取付金具２０６は、その棟側部分が棟側に位置するスレート瓦２０２ｄに覆われており、第２板部２１６の固定用貫通孔２２０がスレート瓦２０２ｄに覆われている。
【０１１２】
続いて、屋根構造２００における基礎屋根構造２０３と太陽電池モジュール１との位置関係について説明する。
【０１１３】
屋根構造２００は、図１，図１９から読み取れるように、基礎屋根構造２０３の上に複数枚の太陽電池モジュール１が面状に広がりをもって設置されている。
【０１１４】
軒側第１段目の太陽電池モジュール１ａは、図２０に示されるように、その軒側端部が軒先取付金具２０５の保持凹部２１３に嵌挿されている。
太陽電池モジュール１ａの棟側端部は、図２１に示されるように、２段目のスレート瓦２０２ｂに取り付けられた中間取付金具２０６ａの第２凹部２１１に嵌挿されている。
すなわち、第１段目の太陽電池モジュール１ａは、軒側の辺が軒先取付金具２０５の保持凹部２１３と嵌合し、棟側の辺が中間取付金具２０６ａの第２凹部２１１と嵌合しているので、対向する両辺が保持され、基礎屋根構造２０３から離脱できない状態となっている。
【０１１５】
軒側第１段目の各太陽電池モジュール１ａは、軒棟方向と直交する方向（建屋の棟と平行する方向）で並設されており、軒棟方向と直交する方向に隣接する太陽電池モジュール１ａ，１ａは、ケーブル部４５，４６によって電気的に接続されている。具体的には、隣接する太陽電池モジュール１ａ，１ａのうち、一方の太陽電池モジュール１ａの正極側ケーブル部４５と、他方の太陽電池モジュール１ａの負極側ケーブル部４６が接続されている。
【０１１６】
軒側２段目の太陽電池モジュール１ｂは、図２２に示されるように、その軒側辺が軒側に位置する中間取付金具２０６ａの第３凹部２１２に嵌挿されており、その棟側辺が棟側に位置する中間取付金具２０６ｂの第２凹部２１１に嵌挿されている。
すなわち、軒側２段目の太陽電池モジュール１ｂは、その軒側辺が軒側に位置する中間取付金具２０６ａの第３凹部２１２と嵌合し、棟側辺が棟側に位置する中間取付金具２０６ｂの第２凹部２１１と嵌合しているので、太陽電池モジュール１ｂの対向する両辺が保持され、基礎屋根構造２０３から離脱できない状態となっている。
【０１１７】
軒側第２段目の各太陽電池モジュール１ｂも、軒側第１段目の各太陽電池モジュール１ａと同様に、軒棟方向と直交する方向（建屋の棟と平行する方向）で並設されており、軒棟方向と直交する方向に隣接する太陽電池モジュール１ｂ，１ｂは、ケーブル部４５，４６によって電気的に接続されている。すなわち、太陽電池モジュール１ａのケーブル部４５のコネクタ部４７は、桁行方向に隣接する太陽電池モジュール１ｂのケーブル部４６のコネクタ部４８と接続されている。
【０１１８】
１枚の軒側２段目の太陽電池モジュール１ｂに注目すると、太陽電池モジュール１ｂの裏面補強部材３は、図２２に示されるように、軒棟方向に隣接するスレート瓦２０２ｃ，２０２ｄに跨って配されている。裏面補強部材３の隆起部６０，６１，６２は、スレート瓦２０２ｃと対面しており、平板部５５，５６，５７は、スレート瓦２０２ｄと対面している。裏面補強部材３は、主に軒棟方向に隣接するスレート瓦２０２ｃ，２０２ｄの重畳部分に位置している。
また、太陽電池モジュール１の縦辺１２，１３が軒棟方向に延びており、横辺１０，１１が軒棟方向に対して直交する方向に延びている。太陽電池モジュール１は、棟側に平板部５５，５６，５７が配されており、軒側に隆起部６０，６１，６２が配されている。
【０１１９】
ところで、第１実施形態の太陽電池モジュール１は、太陽電池パネル２が結晶シリコン基板を含む結晶シリコン系太陽電池パネルである。そのため、従来の結晶シリコン系太陽電池パネルを備える太陽電池モジュールと同様、温度が上がると発電効率が低下するという特性を有する。
【０１２０】
そこで、第１実施形態の太陽電池モジュール１によれば、太陽電池パネル２の裏面と裏面補強部材３によって気体が通過可能な通気路１２０，１２１，１２２，１２３が形成されている。そのため、当該通気路１２０，１２１，１２２，１２３に空気が通過することによって、太陽電池パネル２を冷却することができる。それ故に、本実施形態のように太陽電池パネル２が結晶シリコン基板を含む結晶シリコン系太陽電池パネルであっても、発電効率の低下を抑制することができる。
また、第１実施形態の太陽電池モジュール１によれば、太陽電池パネル２の裏面を形成する封止部材２７が薄い封止フィルムで形成されているため、光電変換素子２５が通気路１２０，１２１，１２２，１２３を通過する空気によって冷却されやすい。
【０１２１】
第１実施形態の太陽電池モジュール１によれば、裏面補強部材３に通気用溝部８１〜８４が形成されているため、裏面補強部材３の軽量化が可能である。
第１実施形態の太陽電池モジュール１によれば、通気路１２０〜１２３に沿って、隆起部６０〜６２、支持壁部８９〜９１，１０１〜１０６，１１４〜１１６、及び第１支持部８８，１００，１１３が設けられており、それらが太陽電池パネル２の裏面を支持しているため、太陽電池パネル２の表面に雪等が載った場合でも、荷重を支えることができる。
【０１２２】
第１実施形態の屋根構造２００の太陽電池モジュール１は、裏面補強部材３の隆起部６０，６１，６２側が軒先側に位置し、平板部５５，５６，５７側が棟側に位置するように傾斜している。そして、平板部５５，５６，５７と隆起部６０，６１，６２との間で段差が生じている。そのため、雨等が降った場合、水が太陽電池パネル２の裏面を伝わって隆起部６０，６１，６２の平板部５５，５６，５７からの立壁部６５，６６，６７に溜まるおそれがある。
そこで、第１実施形態の太陽電池モジュール１によれば、裏面補強部材３の隆起部６０，６１，６２の裏面側に傾斜方向に延びた裏面溝部７５〜７８が設けられているため、雨等が降った場合でも、裏面溝部７５〜７８によって水を逃がすことができ、隆起部６０，６１，６２の平板部５５，５６，５７からの立ち上がり部分に水が溜まってしまうことを防止できる。
【０１２３】
第１実施形態の屋根構造２００の太陽電池モジュール１は、各通気路１２０，１２１，１２２，１２３が１つの通気経路から枝分かれして、複数の通気経路に分岐しているので、太陽電池パネル２を面状に広がりをもって冷却することができる。
【０１２４】
第１実施形態の屋根構造２００の太陽電池モジュール１は、通気路１２１，１２２の一部に、風が横方向に通過可能な横断流路が形成されているため、より効率的に太陽電池パネル２を冷却することができる。
【０１２５】
続いて、本発明の第２実施形態の太陽電池モジュール３００について説明する。なお、第１実施形態の太陽電池モジュール１と同様の構成については、同様の符番を付して説明を省略する。
【０１２６】
第２実施形態の太陽電池モジュール３００は、太陽電池の光電変換機能と、瓦としての防火防水機能を備えた、いわゆる瓦一体型太陽電池モジュールである。
太陽電池モジュール３００は、図２３に示されるように、基礎屋根構造２０３の屋根下地２５０に対して、複数の瓦部材６０１とともに面状に広がりをもって敷設されて屋根構造６００を構成するものである。
太陽電池モジュール３００は、図２４，図２５から読み取れるように、太陽電池パネル３０１と、裏面補強部材３０２と、保持部材３０３を備えており、太陽電池パネル３０１の裏面と、裏面補強部材３０２によって気体が通過可能な通気用流路３０５ａ〜３０５ｄが形成されている。
【０１２７】
太陽電池パネル３０１は、第１実施形態の太陽電池パネル２の構成に加えて放熱部材３１１（放熱板）を備えたものである。すなわち、太陽電池パネル３０１は、図２６に示されるように第１実施形態の太陽電池パネル２に相当するパネル本体３１０と、放熱部材３１１を備えている。
【０１２８】
放熱部材３１１は、発電時にパネル本体３１０で発生する熱を放熱する部材であって、パネル本体３１０の面方向に均熱する均熱部材でもある。また、放熱部材３１１は、屋根構造６００を組み立てた状態において、近隣の建屋等が火災した場合に火種の屋根下地２５０側への進入を防止し、延焼を防止する防火部材でもある。
放熱部材３１１は、面状に広がりをもった金属製又は合金製の放熱板であり、具体的には、ガルバニウム鋼板やＺＡＭ鋼板である。
放熱部材３１１は、平面視したときに、パネル本体３１０と相似形状をしており、太陽電池パネル３０１を構成した状態で、少なくともパネル本体３１０の発電可能領域１５を覆うことが可能となっている。
放熱部材３１１は、その一部が切り抜かれており、パネル本体３１０に設けられた端子ボックス５を挿通可能な挿通孔３１２を備えている。
挿通孔３１２は、放熱部材３１１の部材厚方向に貫通した貫通孔である。
【０１２９】
裏面補強部材３０２は、図２５，図２７に示されるように、第１実施形態の裏面補強部材３と同様、複数の本体部３５０〜３５３と、各本体部３５０〜３５３を橋渡しする橋渡し部３５５〜３５７を備えている。
端部側本体部３５０，３５３は、横方向Ｘ（桁行方向）の両端部側に位置し、太陽電池パネル３０１の両端部分を補強する部位である。
中央側本体部３５１，３５２は、横方向Ｘにおいて端部側本体部３５０，３５３の間に位置し、太陽電池パネル３０１の中央部分を補強する部位である。
本体部３５０〜３５３は、いずれも裏面側が隣接する橋渡し部３５５〜３５７に対して隆起しており、隆起部を形成している。すなわち、本体部３５０〜３５３の厚みは、橋渡し部３５５〜３５７の厚みよりも厚い。
【０１３０】
各本体部３５０〜３５３の受光面１６側の面には、図２５，図２８から読み取れるように、太陽電池パネル３０１の裏面を構成する放熱部材３１１とともに通気用流路３０５ａ〜３０５ｄを形成する通気用溝部３５８ａ〜３５８ｄを備えている。
【０１３１】
裏面補強部材３０２は、平面視したときに、通気用溝部３５８ａ〜３５８ｄの総面積が、裏面補強部材３０２の総面積の８％以上５０％以下であることが好ましく、１２％以上４５％以下であることがより好ましい。
この範囲であれば、裏面補強部材３０２の機械的強度を保持しつつ、太陽電池パネル３０１の冷却効果を維持できる。
裏面補強部材３０２は、平面視したときに、通気用溝部３５８ａ〜３５８ｄの総面積が、太陽電池パネル３０１の表面側封止部材２６の面積の２％以上２０％以下であることが好ましく、５％以上１５％以下であることが好ましい。
【０１３２】
端部側本体部３５０の通気用溝部３５８ａは、図２９に示されるように、主幹溝部３６０ａと、分岐溝部３６１ａ〜３６１ｃと、補助溝部３６５ａ，３６５ｂと、合流溝部３６３ａを備えている。
【０１３３】
主幹溝部３６０ａは、端部側本体部３５０の軒先側端部から棟側に向かって延びた溝であり、一方の端部が外部と連通した溝部である。
主幹溝部３６０ａには、それぞれ縦方向Ｙに２つの第１支持部３７０ａ，３７０ｂが並設されており、これら第１支持部３７０ａ，３７０ｂによって２つの分割溝部３７１ａ，３７１ｂにそれぞれ分割されている。
【０１３４】
第１支持部３７０ａ，３７０ｂは、太陽電池パネル３０１の裏面を支持し、通気用流路３０５ａの内壁の一部を形成するものである。
第１支持部３７０ａ，３７０ｂは、図２９に示されるように、それぞれ円柱状の第１壁部３７５と、直方体状の第２壁部３７６から構成されており、第２壁部３７６は、第１壁部３７５の外周面の一部から径方向に延びている。
第１支持部３７０ａ，３７０ｂの第１壁部３７５，３７５は、縦方向Ｙの中間部に設けられており、第１支持部３７０ａの第２壁部３７６と第１支持部３７０ｂの第２壁部３７６は互いに離反する方向に延びている。すなわち、第１支持部３７０ａの第２壁部３７６は、第１壁部３７５から軒先側端部に向かって延びており、第１支持部３７０ｂの第２壁部３７６は、第１壁部３７５から棟側に向かって延びている。
軒先側の第１支持部３７０ａの第１壁部３７５と、棟側の第１支持部３７０ｂの第１壁部３７５の間には隙間３７７があり、分割溝部３７１ａ，３７１ｂが隙間３７７を介して互いに連続している。
【０１３５】
また別の観点からみると、分割溝部３７１ａ，３７１ｂは、第１支持部３７０ａ，３７０ｂの外周に沿って延びており、各第１支持部３７０ａ，３７０ｂの外周に沿った２つの円弧状の部分をもった溝部３８０，３８１を備えている。すなわち、溝部３８０，３８１は、それぞれ円弧部分と直線部分をもった溝であり、円弧部分同士が接続されている。
【０１３６】
分岐溝部３６１ａは、図２９に示されるように、端部側本体部３５０の横方向Ｘの外側端部から主幹溝部３６０ａの分割溝部３７１ａに向かって傾斜して延びた溝であり、溝部３８１に合流する溝である。
分岐溝部３６１ｂ，３６１ｃは、端部側本体部３５０の横方向Ｘの内側端部から主幹溝部３６０ａの分割溝部３７１ｂに向かって傾斜して延びた溝であり、溝部３８０，３８１にそれぞれ合流する溝である。
分岐溝部３６１ａ〜３６１ｃは、主幹溝部３６０ａを主体とすると、主幹溝部３６０ａから分岐された溝であり、その端部が外部と連続している。
【０１３７】
また分岐溝部３６１ａ〜３６１ｃは、横方向Ｘ成分及び縦方向Ｙ成分をそれぞれもって傾斜している。すなわち、分岐溝部３６１ａ〜３６１ｃは、それぞれ桁行方向成分及び軒棟方向成分をもって傾斜している。
分岐溝部３６１ａは、屋根構造６００を組み立てたときに、軒先側から棟側に向かうにつれて主幹溝部３６０ａの分割溝部３７１ａに近接していき、最も棟側の部分で分割溝部３７１ａの溝部３８１と接続されている。同様に、分岐溝部３６１ｂ，３６１ｃは、屋根構造６００を組み立てたときに、軒先側から棟側に向かうにつれて主幹溝部３６０ａの分割溝部３７１ｂに近接していき、最も棟側の部分で分割溝部３７１ｂの溝部３８０，３８１と接続されている。
【０１３８】
補助溝部３６５ａ，３６５ｂは、図２９に示されるように、主幹溝部３６０ａとは独立して設けられた溝部であり、一方の端部（軒先側端部）から合流溝部３６３ａに向かって直線状に延びた溝部である。補助溝部３６５ａ，３６５ｂは、一方の端部が外部と連続しており、他方の端部が合流溝部３６３ａと連続している。
補助溝部３６５ａ，３６５ｂは、橋渡し部３５５側付近であって、横方向Ｘに所定の間隔を空けて配されている。補助溝部３６５ａ，３６５ｂは、屋根構造６００を形成した場合に軒棟方向に延びている。
【０１３９】
合流溝部３６３ａは、図２９に示されるように、横方向Ｘに延び、主幹溝部３６０ａ及び補助溝部３６５ａ，３６５ｂのそれぞれ棟側端部と接続される接続溝部である。すなわち、合流溝部３６３ａは、主幹溝部３６０ａを介して分岐溝部３６１ａ〜３６１ｃと連続している。合流溝部３６３ａは、端部側本体部３５０の横方向Ｘ全体に亘って延びており、その両端部が外部と連続している。
合流溝部３６３ａは、棟側枠部５０６の一部を挿入可能となっており、棟側枠部５０６が太陽電池パネル３０１から抜け落ちることを防止する抜け落ち防止溝でもある。
【０１４０】
端部側本体部３５０は、図２９に示されるように、支持壁部３８５ａ〜３８５ｅを備えている。
支持壁部３８５ａ〜３８５ｅは、いずれも太陽電池パネル３０１の裏面を支持し、通気用溝部３５８ａの内壁を形成するものである。
支持壁部３８５ａは、分割溝部３７１ａの溝部３８０，３８１及び分岐溝部３６１ａによって囲まれて孤立した島状の壁部である。
支持壁部３８５ｂは、分岐溝部３６１ａ、分割溝部３７１ａの溝部３８１、及び合流溝部３６３ａによって他から切り離された壁部である。
支持壁部３８５ｃは、分割溝部３７１ｂの溝部３８０及び分岐溝部３６１ｂによって囲まれて孤立した島状の壁部である。
支持壁部３８５ｄは、分割溝部３７１ｂの溝部３８０，３８１及び分岐溝部３６１ｂ，３６１ｃによって囲まれて孤立した島状の壁部である。
支持壁部３８５ｅは、分岐溝部３６１ｃ、分割溝部３７１ｂの溝部３８１、及び合流溝部３６３ａによって他から切り離された壁部であり、補助溝部３６５ａ，３６５ｂが形成されている。
【０１４１】
中央側本体部３５１の通気用溝部３５８ｂは、図３０に示されるように、主幹溝部３６０ｂ，３６０ｃと、分岐溝部３６１ｄ〜３６１ｊと、桟固定溝３６２と、合流溝部３６３ｂを備えている。
主幹溝部３６０ｂ，３６０ｃは、図３０に示されるように、端部側本体部３５０の主幹溝部３６０ａと同様、中央側本体部３５１の軒先側端部から棟側に向かって延びた溝であり、一方の端部が外部と連通した溝部である。
主幹溝部３６０ｂ，３６０ｃは、その内部に２つの第１支持部３７０ａ，３７０ｂが並設されており、これら第１支持部３７０ａ，３７０ｂによって２つの分割溝部３７１ａ，３７１ｂにそれぞれ分割されている。
【０１４２】
分岐溝部３６１ｄ，３６１ｅは、図３０に示されるように、中央側本体部３５１の横方向Ｘの外側端部から主幹溝部３６０ｂの分割溝部３７１ａに向かって傾斜して延びた溝であり、分割溝部３７１ａの溝部３８０，３８１にそれぞれ合流する溝である。
分岐溝部３６１ｆは、桟固定溝３６２から主幹溝部３６０ｂの分割溝部３７１ｂに向かって傾斜して延びた溝であり、分割溝部３７１ｂの溝部３８１に合流する溝である。
分岐溝部３６１ｇ，３６１ｈは、桟固定溝３６２から主幹溝部３６０ｃの分割溝部３７１ａに向かって傾斜して延びた溝であり、分割溝部３７１ａの溝部３８０，３８１に合流する溝である。
分岐溝部３６１ｉ，３６１ｊは、中央側本体部３５１の横方向Ｘの内側端部から主幹溝部３６０ｃの分割溝部３７１ｂに向かって傾斜して延びた溝であり、分割溝部３７１ｂの溝部３８０，３８１にそれぞれ合流する溝である。
分岐溝部３６１ｄ〜３６１ｊは、主幹溝部３６０ｂ，３６０ｃを主体とすると、主幹溝部３６０ｂ，３６０ｃから分岐された溝であり、その端部が外部と連続している。
【０１４３】
分岐溝部３６１ｄ〜３６１ｊは、横方向Ｘ成分及び縦方向Ｙ成分をそれぞれもって傾斜している。すなわち、分岐溝部３６１ｄ〜３６１ｊは、それぞれ桁行方向成分及び軒棟方向成分をもって傾斜している。
分岐溝部３６１ｄ，３６１ｅは、屋根構造６００を組み立てたときに、軒先側から棟側に向かうにつれて主幹溝部３６０ｂの分割溝部３７１ａに近接していき、最も棟側の部分で分割溝部３７１ａの溝部３８０，３８１と接続されている。同様に、分岐溝部３６１ｆは、軒先側から棟側に向かうにつれて主幹溝部３６０ｂの分割溝部３７１ｂに近接していき、最も棟側の部分で分割溝部３７１ｂの溝部３８１と接続されている。
分岐溝部３６１ｇ，３６１ｈは、屋根構造６００を組み立てたときに、軒先側から棟側に向かうにつれて主幹溝部３６０ｃの分割溝部３７１ａに近接していき、最も棟側の部分で分割溝部３７１ａの溝部３８０，３８１と接続されている。分岐溝部３６１ｉ，３６１ｊは、軒先側から棟側に向かうにつれて主幹溝部３６０ｃの分割溝部３７１ｂに近接していき、最も棟側の部分で分割溝部３７１ｂの溝部３８１と接続されている。
【０１４４】
桟固定溝３６２は、図２５に示されるように、補強桟５０９（補強桟５１０）を接着するための溝であり、縦方向Ｙに直線状に延びた溝である。
桟固定溝３６２は、補強桟５０９（補強桟５１０）の幅と同一かそれ以上の幅をもっており、補強桟５０９（補強桟５１０）を挿着可能となっている。
【０１４５】
合流溝部３６３ｂは、図３０に示されるように、横方向Ｘに延び、主幹溝部３６０ｂ，３６０ｃの棟側端部と桟固定溝３６２の棟側端部のそれぞれと接続される接続溝部である。すなわち、合流溝部３６３ｂは、主幹溝部３６０ｂ，３６０ｃ又は桟固定溝３６２を介して分岐溝部３６１ｄ〜３６１ｊと連続している。合流溝部３６３ｂは、中央側本体部３５１の横方向Ｘ全体に亘って延びており、その両端部が外部と連続している。
合流溝部３６３ｂは、棟側枠部５０６の一部を挿入可能となっており、棟側枠部５０６が太陽電池パネル３０１から抜け落ちることを防止する抜け落ち防止溝でもある。
【０１４６】
中央側本体部３５１は、図３０に示されるように、支持壁部３８５ｆ〜３８５ｑを備えている。
支持壁部３８５ｆ〜３８５ｑは、太陽電池パネル３０１の裏面を支持し、通気用流路３０５ｂの内壁を形成するものである。
支持壁部３８５ｆは、主幹溝部３６０ｂの分割溝部３７１ａの溝部３８０及び分岐溝部３６１ｄによって囲まれて孤立した島状の壁部である。
支持壁部３８５ｇは、主幹溝部３６０ｂの分割溝部３７１ａの溝部３８０，３８１及び分岐溝部３６１ｄ，３６２ｅによって囲まれて孤立した島状の壁部である。
支持壁部３８５ｈは、分岐溝部３６１ｅ、主幹溝部３６０ｂの分割溝部３７１ａの溝部３８１、及び合流溝部３６３ｂによって他から切り離された壁部である。
支持壁部３８５ｉは、主幹溝部３６０ｂの分割溝部３７１ｂの溝部３８０及び桟固定溝３６２によって囲まれて孤立した島状の壁部である。
支持壁部３８５ｊは、主幹溝部３６０ｂの分割溝部３７１ｂの溝部３８０，３８１、分岐溝部３６１ｆ、及び桟固定溝３６２によって囲まれて孤立した島状の壁部である。
支持壁部３８５ｋは、分岐溝部３６１ｆ、主幹溝部３６０ｂの分割溝部３７１ｂの溝部３８１、桟固定溝３６２、及び合流溝部３６３ｂによって囲まれて孤立した島状の壁部である。
支持壁部３８５ｌは、主幹溝部３６０ｃの分割溝部３７１ａの溝部３８０、分岐溝部３６１ｇ、及び桟固定溝３６２によって囲まれて孤立した島状の壁部である。
支持壁部３８５ｍは、主幹溝部３６０ｃの分割溝部３７１ａの溝部３８０，３８１、分岐溝部３６１ｇ，３６１ｈ、及び桟固定溝３６２によって囲まれて孤立した島状の壁部である。
支持壁部３８５ｎは、分岐溝部３６１ｈ、主幹溝部３６０ｂの分割溝部３７１ａの溝部３８１、合流溝部３６３ｂ、及び桟固定溝３６２によって囲まれて孤立した島状の壁部である。
支持壁部３８５ｏは、主幹溝部３６０ｃの分割溝部３７１ｂの溝部３８０及び分岐溝部３６１ｉによって囲まれて孤立した島状の壁部である。
支持壁部３８５ｐは、主幹溝部３６０ｃの分割溝部３７１ｂの溝部３８０，３８１及び分岐溝部３６１ｉ，３６１ｊによって囲まれて孤立した島状の壁部である。
支持壁部３８５ｑは、主幹溝部３６０ｃの溝部３８１、分岐溝部３６１ｊ、及び合流溝部３６３ｂによって囲まれて孤立した島状の壁部である。
【０１４７】
中央側本体部３５２の通気用溝部３５８ｃは、中央側本体部３５１の通気用溝部３５８ｂと左右対称の関係となっており、主幹溝部３６０ｂ，３６０ｃと、分岐溝部３６１ｄ〜３６１ｊと、桟固定溝３６２と、合流溝部３６３ｂを備えている。
【０１４８】
端部側本体部３５３の通気用溝部３５８ｄは、端部側本体部３５０の通気用溝部３５８ａと概ね左右対称の関係となっており、補助溝部３６５ａ，３６５ｂを備えていない点のみ異なる。すなわち、通気用溝部３５８ｄは、主幹溝部３６０ａと、分岐溝部３６１ａ〜３６１ｃと、合流溝部３６３ａを備えている。
【０１４９】
裏面補強部材３０２の裏面側に注目すると、裏面補強部材３０２は、図２８（ｂ）に示されるように、太陽電池パネル３０１に設けられたケーブル部４５，４６のコネクタ部４７，４８を固定可能なコネクタ固定溝４００ａ，４００ｂ（ケーブル保持部）と、バランス保持溝４０２ａ，４０２ｂと、ケーブル部４５，４６の配線部４９を保持する配線保持溝４０１ａ〜４０１ｃを備えている。
【０１５０】
コネクタ固定溝４００ａは、端部側本体部３５０に設けられ、少なくとも一部が横方向Ｘに延びた長溝であり、ケーブル部４５，４６のコネクタ部４７，４８と嵌合可能となっている。
コネクタ固定溝４００ｂは、中央側本体部３５１に設けられ、少なくとも一部が横方向Ｘに延びた長溝であり、ケーブル部４５，４６のコネクタ部４７，４８と嵌合可能となっている。
【０１５１】
バランス保持溝４０２ａ，４０２ｂは、裏面補強部材３０２の重量バランスをとるための溝である。
バランス保持溝４０２ａは、中央側本体部３５２に設けられ、少なくとも一部が横方向Ｘに延びた長溝である。バランス保持溝４０２ａは、コネクタ固定溝４００ｂと略同一形状をしている。
バランス保持溝４０２ｂは、端部側本体部３５３に設けられ、少なくとも一部が横方向Ｘに延びた長溝である。
【０１５２】
配線保持溝４０１ａ〜４０１ｃは、平面視したときに、コネクタ固定溝４００ａ，４００ｂ及びバランス保持溝４０２ｂから外側に向かって延びた溝であり、コネクタ固定溝４００ａ，４００ｂ及びバランス保持溝４０２ｂに対して交差する方向に延びた切り欠きである。
配線保持溝４０１ａ〜４０１ｃは、いずれもケーブル部４５，４６の配線部を保持可能となっている。
【０１５３】
保持部材３０３は、図２４，図３１から読み取れるように、太陽電池パネル３０１の４辺に沿って延びる枠部５０５〜５０８と、枠部５０５，５０６間を繋ぐ補強桟５０９，５１０を備えている。
軒先側枠部５０５は、横方向Ｘに延びる横フレームであって、屋根構造６００を構築したときに、太陽電池パネル３０１の軒先側端部を保持する軒先側保持部である。
【０１５４】
軒先側枠部５０５は、図３１に示されるように、主要構成として、保持凹部５２０と、軒先側係合部５２１と、軒先側接続部５２２，５２３を備えている。
保持凹部５２０は、太陽電池パネル３０１の軒先側端部と嵌合可能な凹部である。具体的には、保持凹部５２０は、断面形状が略「コ」字状の凹部であり、軒先側に向かって深さをもち、桁行方向（太陽電池パネル３０１の横方向Ｘ）に延びた凹溝である。
軒先側係合部５２１は、太陽電池パネル３０１の裏面側に位置し、屋根構造６００を構成したときに、軒先側に隣接する他の太陽電池モジュール３００の棟側枠部５０６の一部や軒先金具５９１と係合可能となっている。具体的には、軒先側係合部５２１は、断面形状が略「コ」字状の凹部であり、側枠部５０６の棟側係合部５３１を挿入することで天地方向に棟側係合部５３１と係合可能な板状部を備えている。
軒先側接続部５２２，５２３は、補強桟５０９，５１０の一方の端部（軒先側端部）を接続可能な部位である。軒先側接続部５２２，５２３は、軒先側枠部５０５の長手方向の中間部であって、所定の間隔を空けて配されている。
【０１５５】
棟側枠部５０６は、図３１に示されるように、横方向Ｘに延びる横フレームであって、屋根構造６００を構築したときに、太陽電池パネル３０１の棟側端部を保持する棟側保持部である。
棟側枠部５０６は、保持凹部５３０と、棟側係合部５３１と、棟側接続部５３２，５３３と、取付孔５３５を備えている。
保持凹部５３０は、太陽電池パネル３０１の棟側端部と嵌合可能な凹部である。具体的には、保持凹部５３０は、断面形状が略「コ」字状の凹部であり、棟側に深さをもち、桁行方向（太陽電池パネル３０１の幅方向）に延びた凹溝である。
棟側係合部５３１は、太陽電池パネル３０１の受光面１６側に位置し、軒先側枠部５０５の軒先側係合部５２１と対をなす係合部である。棟側係合部５３１は、屋根構造６００を構築したときに、棟側に隣接する他の太陽電池モジュール３００の軒先側係合部５２１と係合可能となっている。
棟側接続部５３２，５３３は、軒先側接続部５２２，５２３と対をなし、補強桟５０９，５１０の他方の端部（棟側端部）を接続可能な部位である。棟側接続部５３２，５３３は、棟側枠部５０６の長手方向の中間部であって、所定の間隔を空けて配されている。
取付孔５３５は、図３２に示されるように、締結要素６０２によって基礎屋根構造２０３の屋根下地２５０に対して取り付けるための孔であり、厚み方向に貫通した貫通孔である。
【０１５６】
左側枠部５０７は、図３１に示されるように、太陽電池パネル３０１の裏面を支持する支持部材であり、太陽電池パネル３０１の受光面１６を平面視したときに、太陽電池パネル３０１の左辺に沿って延びている。左側枠部５０７は、屋根構造６００を構築したときに、軒先側枠部５０５及び棟側枠部５０６を軒棟方向に連結する連結部でもある。
【０１５７】
右側枠部５０８は、図３１に示されるように、太陽電池パネル３０１の裏面を支持する支持部材であり、太陽電池パネル３０１の受光面１６を平面視したときに、太陽電池パネル３０１の右辺に沿って延びている。右側枠部５０８は、屋根構造６００を構築したときに、軒先側枠部５０５及び棟側枠部５０６を軒棟方向に連結する連結部でもある。
【０１５８】
補強桟５０９，５１０は、図３１に示されるように、軒先側枠部５０５と棟側枠部５０６を接続し太陽電池パネル３０１の剛性を補強する補強桟である。
補強桟５０９，５１０は、金属製であって、縦方向Ｙに延びた長板状の部位である。
補強桟５０９，５１０は、長手方向の一方の端部が軒先側枠部５０５の軒先側接続部５２２，５２３と接続可能となっており、他方の端部が棟側枠部５０６の棟側接続部５３２，５３３と接続可能となっている。
【０１５９】
続いて、太陽電池モジュール３００の各構成部材の位置関係について説明する。
【０１６０】
太陽電池パネル３０１は、図３２のように、軒先側端部が軒先側枠部５０５の保持凹部５２０に挿入されており、棟側端部が棟側枠部５０６の保持凹部５３０に挿入されている。
太陽電池パネル３０１は、左側端部が左側枠部５０７上に載置されており、右側端部が右側枠部５０８上に載置されている。
補強桟５０９，５１０は、裏面補強部材３０２の桟固定溝３６２，３６２に接着材によって接着されており、太陽電池パネル３０１の裏面と補強桟５０９，５１０との間には隙間が形成されている。
本実施形態では、接着材として、両面粘着テープを使用している。
太陽電池パネル３０１の長手方向に対向する短辺たる縦辺１２，１３は、図２４のように、いずれもその大部分又は全部が直接視認可能となっている。すなわち、縦辺１２，１３は、保持部材３０３によってその大部分又は全部が覆われていない。
【０１６１】
続いて、屋根構造６００の各構成部材の位置関係について説明する。
【０１６２】
屋根構造６００は、基礎屋根構造２０３の屋根下地２５０に対して複数枚の太陽電池モジュール３００が直接固定されている。
屋根構造６００は、図２３に示されるように、基礎屋根構造２０３の瓦桟５９０に複数の軒先金具５９１が取り付けられており、瓦部材６０１及び太陽電池モジュール３００が基礎屋根構造２０３に敷設されている。
屋根構造６００は、図３２に示されるように、各太陽電池モジュール３００（３００Ａ，３００Ｂ，・・・）の棟側枠部５０６（５０６Ａ，５０６Ｂ，・・・）の下に位置する裏面補強部材３０２を介して、基礎屋根構造２０３の瓦棒５９２上に載置されており、締結要素６０２が各太陽電池モジュール３００（３００Ａ，３００Ｂ，・・・）の棟側枠部５０６（５０６Ａ，５０６Ｂ，・・・）の取付孔５３５を挿通し、瓦棒５９２に打設されている。
【０１６３】
太陽電池モジュール３００Ｂと軒先側に位置する太陽電池モジュール３００Ａは、棟側枠部５０６Ａの上に棟側の太陽電池モジュール３００Ｂの軒先側枠部５０５Ｂが載置されている。すなわち、太陽電池モジュール３００Ａと太陽電池モジュール３００Ｂは、受光面１６に対して直交する方向において一部分が重なっている。棟側の太陽電池モジュール３００Ｂの軒先側枠部５０５Ｂは、軒先側係合部５２１が軒先側の太陽電池モジュール３００Ａの棟側枠部５０６Ａの棟側係合部５３１と重なり方向で係合している。
太陽電池モジュール３００Ｂは、棟側枠部５０６Ｂ上に棟側の太陽電池モジュール３００Ｃの軒先側枠部５０５Ｃが載置されている。
太陽電池モジュール３００Ｂの棟側枠部５０６Ｂは、棟側係合部５３１が棟側の太陽電池モジュール３００Ｃの軒先側枠部５０５Ｃの軒先側係合部５２１と重なり方向で係合している。
【０１６４】
また、瓦部材６０１と太陽電池モジュール３００に跨って固定される太陽電池モジュール３００Ｄは、図３３から読み取れるように、軒先側枠部５０５の軒先側係合部５２１が瓦部材６０１に取り付けられた固定金具６０５の係合部６０６及び棟側枠部５０６の棟側係合部５３１のそれぞれと係合している。そのため、太陽電池モジュール３００Ｄは、他の太陽電池モジュール３００及び固定金具６０５と一部分で重なっており、他の太陽電池モジュール３００及び固定金具６０５の係合部６０６によって天地方向への移動が制限されている。
【０１６５】
桁行方向に注目すると、太陽電池モジュール３００Ａの左側枠部５０７は、図３４（ａ），図３４（ｂ）から読み取れるように、左側に隣接する太陽電池モジュール３００Ｅの右側枠部５０８によって覆われている。すなわち、太陽電池モジュール３００Ａの左側枠部５０７は、受光面１６を平面視したときに、自己の太陽電池パネル３０１によって覆われており、右側枠部５０８は、自己の太陽電池パネル３０１及び他の太陽電池モジュール３００Ｅの太陽電池パネル３０１によって隠されている。
太陽電池モジュール３００Ａの太陽電池パネル３０１の左側端面は、左側に隣接する太陽電池モジュール３００Ｅの太陽電池パネル３０１の右側端面と対面している。本実施形態では、太陽電池モジュール３００Ａの太陽電池パネル３０１の左側端面と左側に隣接する太陽電池モジュール３００Ｅの太陽電池パネル３０１の右側端面との間にはわずかに隙間が形成されている。当該隙間の幅は、１．５ｃｍ以下であることが好ましい。
太陽電池モジュール３００Ａの受光面１６は、太陽電池モジュール３００Ｅの受光面１６と同一平面上に位置している。すなわち、太陽電池モジュール３００Ａの受光面１６と太陽電池モジュール３００Ｅの受光面１６は面一となっており、太陽電池モジュール３００Ａの太陽電池パネル３０１の長手方向に延びた一つの受光面を形成している。
【０１６６】
ここで、上記したように、太陽電池モジュール３００は、太陽電池パネル３０１の裏面と裏面補強部材３０２の通気用溝部３５８ａ〜３５８ｄによって通気路５５０ａ〜５５０ｄから構成される通気用流路３０５が形成されている。
通気用流路３０５は、第１実施形態の通気用流路８と同様、気体が通過可能な流路であり、冷却気体を通過させることで、太陽電池パネル３０１の裏面を冷却気体に晒して冷却する流路である。
【０１６７】
通気路５５０ａ〜５５０ｄは、太陽電池パネル３０１の裏面と通気用溝部３５８ａ〜３５８ｄに沿って形成された流路である。
【０１６８】
通気路５５０ａは、図３５に示されるように、端部側本体部３５０の主幹溝部３６０ａに対応する主幹流路５６０ａと、分岐溝部３６１ａ〜３６１ｃに対応する分岐流路５６１ａ〜５６１ｃと、端部側本体部３５０の合流溝部３６３ａに対応する合流流路５６３ａと、端部側本体部３５０の補助溝部３６５ａ，３６５ｂに対応する補助流路５６５ａ，５６５ｂを備えている。
【０１６９】
通気路５５０ｂ，５５０ｃは、図３６に示されるように、中央側本体部３５１，３５２の主幹溝部３６０ｂ，３６０ｃに対応する主幹流路５６０ｂ，５６０ｃと、中央側本体部３５１，３５２の分岐溝部３６１ｄ〜３６１ｊに対応する分岐流路５６１ｄ〜５６１ｊと、中央側本体部３５１，３５２の合流溝部３６３ｂに対応する合流流路５６３ｂと、中央側本体部３５１，３５２の桟固定溝３６２に対応する桟固定流路５６２を備えている。
【０１７０】
通気路５５０ｄは、図３５に示されるように、端部側本体部３５２の主幹溝部３６０ａに対応する主幹流路５６０ａと、分岐溝部３６１ａ〜３６１ｃに対応する分岐流路５６１ａ〜５６１ｃと、端部側本体部３５０の合流溝部３６３ａに対応する合流流路５６３ａを備えている。
【０１７１】
主幹流路５６０ａ，５６０ｂ，５６０ｃは、それぞれ分割溝部３７１ａ，３７１ｂに対応する分割流路５７０ａ，５７０ｂを備えている。
分割流路５７０ａ，５７０ｂは、溝部３８０，３８１に対応する流路５７２，５７３をそれぞれ備えている。
【０１７２】
太陽電池パネル３０１の裏面と端部側本体部３５０，３５３で構成される通気路５５０ａ，５５０ｄは、図３５（ａ）に示されるように、軒先側から棟側に向けて風が流れたと仮定したときに、本流路として、一方の端部（軒先側端部）から主幹流路５６０ａの分割流路５７０ａ，５７０ｂの流路５７２，５７２に入り、分割流路５７０ａ，５７０ｂの隙間３７７によって、一度合流する。その後、第１支持部３７０ｂの存在によって第２分割流路５７１ａ，５７１ｂの流路５７３，５７３に分岐して合流流路５６３ａに至り、合流流路５６３ａを通過して桁行方向の両端部から外部に流れる。
また、通気路５５０ａ，５５０ｄは、図３５（ｂ）に示されるように、外部から本流路に合流する第１副流路として、分岐流路５６１ａから入り、主幹流路５６０ａの分割流路５７０ａの流路５７３の中途に合流する。
通気路５５０ａ，５５０ｄは、外部から本流路に合流する第２副流路として、分岐流路５６１ｂ，５６１ｃから入り、主幹流路５６０ａの分割流路５７０ｂの流路５７２，５７３の中途に合流する。
さらに通気路５５０ａ，５５０ｄは、独立流路として、軒先側端部から補助流路５６５ａ，５６５ｂに入り、合流流路５６３ａに合流する。
【０１７３】
太陽電池パネル３０１の裏面と中央側本体部３５１，３５２で構成される通気路５５０ｂ，５５０ｃは、図３６（ａ）に示されるように、軒先側から棟側に向けて風が流れたと仮定したときに、本流路として、一方の端部（軒先側端部）から主幹流路５６０ｂ，５６０ｃの分割流路５７０ａ，５７０ｂ，５７０ａ，５７０ｂの流路５７２，５７２，５７２，５７２に入り、分割流路５７０ａ，５７０ｂ，５７０ａ，５７０ｂの各隙間３７７によって、一度合流する。その後、第１支持部３７０ｂ，３７０ｂの存在によって第２分割流路５７０ａ，５７０ｂ，５７０ａ，５７０ｂの流路５７３，５７３，５７３，５７３に分岐して合流流路５６３ｂに至り、合流流路５６３ｂを通過して桁行方向の端部から外部に流れる。
通気路５５０ｂ，５５０ｃは、第２本流路として、一方の端部（軒先側端部）から桟固定流路５６２に入り、桟固定流路５６２を通過して合流流路５６３ｂに至り、合流流路５６３ｂを通過して桁行方向の両端部から外部に流れる。
【０１７４】
通気路５５０ｂ，５５０ｃは、図３６（ｂ）に示されるように、外部から本流路に合流する第３副流路として、分岐流路５６１ｄ，５６１ｅから入り、主幹流路５６０ｂの分割流路５７０ａの流路５７２，５７３の中途に合流する。
通気路５５０ｂ，５５０ｃは、第２本流路から本流路に合流する第４副流路として、桟固定流路５６２から直接主幹流路５６０ｂの分割流路５７０ｂの流路５７２の中途に合流する。
通気路５５０ｂ，５５０ｃは、第２本流路から本流路に合流する第５副流路として、桟固定流路５６２から分岐流路５６１ｆを介して主幹流路５６０ｂの分割流路５７０ｂの流路５７３の中途に合流する。
通気路５５０ｂ，５５０ｃは、第２本流路から本流路に合流する第６副流路として、桟固定流路５６２から分岐流路５６１ｇ，５６１ｈを介して主幹流路５６０ｃの分割流路５７０ａの流路５７２，５７３の中途に合流する。
通気路５５０ｂ，５５０ｃは、外部から本流路に合流する第７副流路として、分岐流路５６１ｉ，５６１ｊから入り、主幹流路５６０ｃの分割流路５７０ｂの流路５７２，５７３の中途に合流する。
【０１７５】
続いて、太陽電池モジュール３００においてケーブル部４５，４６のコネクタ部４７，４８をコネクタ固定溝４００ａ，４００ｂに固定した場合の各部位の位置関係について説明する。
【０１７６】
図２７のように、端子ボックス５から延びた一方のケーブル部４６は、配線部がコネクタ固定溝４００ｂよりも棟側を通過し、さらに配線保持溝４０１ａを通過する。そして、コネクタ部４８がコネクタ固定溝４００ａと嵌合している。
端子ボックス５から延びた他方のケーブル部４５は、横方向Ｘにおいて一方のケーブル部４６とは反対方向に延びて、配線がバランス保持溝４０２ａよりも棟側を通過し、さらに配線保持溝４０１ｃを通過して折り返されている。その折り返された部分は、バランス保持溝４０２ａよりも軒先側を通過し、さらに配線保持溝４０１ｂを通過する。そして、コネクタ部４７がコネクタ固定溝４００ｂと嵌合している。
【０１７７】
第２実施形態の太陽電池モジュール３００によれば、太陽電池パネル３０１が放熱部材３１１を持ち、さらに放熱部材３１１が空気等の冷却気体に晒されるため、発電時の太陽電池パネル３０１の温度上昇を抑制できる。
【０１７８】
第２実施形態の太陽電池モジュール３００によれば、太陽電池パネル３０１の裏面に板状の放熱部材３１１を設けているので、火災時において太陽電池パネル３０１上に火種が飛散しても、火種が放熱部材３１１によって遮られ、放熱部材３１１よりも裏面側の部材や屋根下地等に延焼することを防止できる。そのため、防火性能が高い。
【０１７９】
第２実施形態の太陽電池モジュール３００によれば、太陽電池パネル３０１がパネル本体３１０の裏面に放熱部材３１１が設けられているので、放熱部材３１１がパネル本体３１０の応力緩和に寄与し、パネル本体３１０の応力による破損を防止できる。
【０１８０】
第２実施形態の太陽電池モジュール３００によれば、裏面補強部材３０２の裏面にコネクタ固定溝４００ａ，４００ｂ及び配線保持溝４０１ａ〜４０１ｃが設けられている。そのため、作業現場への搬入時等において、太陽電池パネル３０１のケーブル部４５，４６を配線保持溝４０１ａ〜４０１ｃに通過させてコネクタ部４７，４８をコネクタ固定溝４００ａ，４００ｂに固定することによって、ケーブル部４５，４６を固定するテ一プを省略でき、省資源化に貢献できるとともに、ケーブル部４５，４６が搬入作業等の邪魔になりにくく、従来に比べて作業性が良好となる。また、運搬の際の振動やケーブル部４５，４６との衝突による太陽電池パネル３０１の割れを防止できる。
【０１８１】
第２実施形態の太陽電池モジュール３００によれば、軒先側枠部５０５と棟側枠部５０６の間を左側枠部５０７と右側枠部５０８で接続し、さらに、２本の補強桟５０９，５１０によって補強されている。そのため、太陽電池モジュール３００に吹き上げ力が働いた場合に、軒先側枠部５０５と棟側枠部５０６が互いに離反する方向への移動を制限できる。
【０１８２】
第２実施形態の屋根構造６００によれば、棟側の太陽電池モジュール３００Ｂの軒先側枠部５０５は、軒棟方向に隣接する軒先側の太陽電池モジュール３００Ａの棟側枠部５０６上に載置され、棟側の太陽電池モジュール３００Ｂの軒先側係合部５２１が軒先側の太陽電池モジュール３００Ａの棟側係合部５３１と重なり方向に係合して、軒先側の太陽電池モジュール３００Ａの天地方向への移動を制限している。そのため、軒先側の太陽電池モジュール３００Ａに吹き上げ力が働いても、棟側の太陽電池モジュール３００Ｂの自重及び軒先側係合部５２１によって軒先側の太陽電池モジュール３００Ａが屋根下地２５０から離反することを防止できる。
【０１８３】
第２実施形態の屋根構造６００によれば、図３４（ａ）のように、桁行方向に隣接する太陽電池モジュール３００Ａ，３００Ｅの受光面１６，１６のみで桁行方向に実質的に連続した一つの平面を形成している。そのため、桁行方向に隣接する太陽電池モジュール３００Ａ，３００Ｅの受光面１６，１６の継ぎ目が見えにくく、使用者に対して、各太陽電池モジュール３００の受光面が桁行方向に一連となって延びた印象を与えることができる。それ故に、第２実施形態の屋根構造６００によれば、意匠性の良い屋根構造となる。
【０１８４】
上記した実施形態では、太陽電池パネル２として結晶シリコン系太陽電池を実装する結晶型太陽電池パネルを使用したが、本発明はこれに限定されるものではなく、他の種類の太陽電池パネルを使用してもよい。例えば、太陽電池パネル２として、薄膜型の太陽電池パネルを使用してもよい。
【０１８５】
上記した実施形態では、太陽電池パネル２の冷却のために通気用流路８に空気を通過させたが、本発明はこれに限定されるものではなく、窒素ガス等の不活性ガスを通気用流路８に流してもよい。
【０１８６】
上記した実施形態では、フレームを設けないフレームレス太陽電池モジュールの場合について説明したが、本発明はこれに限定されるものではなく、通常と同様、太陽電池パネルにフレームを設けてもよい。
【０１８７】
上記した実施形態では、建屋の屋根に太陽電池モジュール１を設けていたが、本発明はこれに限定されるものではなく、太陽電池モジュール１を傾斜した姿勢で設置できれば、太陽電池モジュール１の設置場所は特に問わない。例えば、架台等に太陽電池モジュール１を設けてもよい。
【０１８８】
上記した第１実施形態では、主幹流路１２５は傾斜方向の一方の端部（横辺１０）側から他方の端部（横辺１１）側に延びていたが、主幹流路１２５が一つの端部側から他の端部側に至っていれば、主幹流路１２５の延び方向は特に限定されるものではない。例えば、主幹流路１２５は、傾斜方向に対して交差する方向に対向する一方の端部（縦辺１２）側から他方の端部（縦辺１３）側に延びていてもよい。
【０１８９】
上記した第２実施形態では、裏面補強部材３０２の裏面側にケーブルを固定可能な有底穴たるコネクタ固定溝４００ａ，４００ｂを設けていたが、本発明はこれに限定されるものではない。コネクタ固定溝４００ａ，４００ｂは貫通溝であっても良いし、切り欠きであってもよい。
また、上記した第２実施形態では、裏面補強部材３０２の重量バランスを取るために、バランス保持溝４０２ａ，４０２ｂを設けていたが、本発明はこれに限定されるものではない。バランス保持溝４０２ａ，４０２ｂをいずれもコネクタ固定溝としてもよい。
【符号の説明】
【０１９０】
１，３００  太陽電池モジュール
２，３０１  太陽電池パネル
３，３０２  裏面補強部材
８，３０５  通気用流路
１０，１１  横辺（長辺）
１２，１３  縦辺（短辺）
１６  受光面
２６  表面側封止部材
２７  裏面側封止部材
６０〜６２  隆起部
７５〜７８  裏面溝部
８１〜８４，３５８  通気用溝部
８５，９５，１１０，３６０  主幹溝部
８６，８７，９６〜９９，１１１，１１２，３６１  分岐溝部
８８，１００，１１３，３７０  第１支持部
８９〜９１，１０１〜１０６，１１４〜１１６  支持壁部（第２支持部）
１２０〜１２３，５５０  通気路
１２５，１３５，１５５，５６０  主幹流路（第１流路）
１２６，１２７，１３６〜１３９，１５６，１５７，５７１  分岐流路（第２流路）
２００，６００  屋根構造
２０２  スレート瓦（瓦部材）
２０３  基礎屋根構造
２０６  中間取付金具（取付金具）
２１０  第１凹部
２１１  第２凹部
２１２  第３凹部
２１６  第２板部（共通の部材）
３１１  放熱部材（放熱板）
３５０〜３５３  本体部（隆起部）
４００ａ，４００ｂ  コネクタ固定溝（ケーブル保持部）
４０１ａ，４０１ｂ，４０１ｃ  配線保持溝
５０５  軒先側枠部（軒先側保持部）
５０６  棟側枠部（棟側保持部）
６０１  瓦部材
【図１】
2017028994.tif 000003
【図２】
2017028994.tif 000004
【図３】
2017028994.tif 000005
【図４】
2017028994.tif 000006
【図５】
2017028994.tif 000007
【図６】
2017028994.tif 000008
【図７】
2017028994.tif 000009
【図８】
2017028994.tif 000010
【図９】
2017028994.tif 000011
【図１０】
2017028994.tif 000012
【図１１】
2017028994.tif 000013
【図１２】
2017028994.tif 000014
【図１３】
2017028994.tif 000015
【図１４】
2017028994.tif 000016
【図１５】
2017028994.tif 000017
【図１６】
2017028994.tif 000018
【図１７】
2017028994.tif 000019
【図１８】
2017028994.tif 000020
【図１９】
2017028994.tif 000021
【図２０】
2017028994.tif 000022
【図２１】
2017028994.tif 000023
【図２２】
2017028994.tif 000024
【図２３】
2017028994.tif 000025
【図２４】
2017028994.tif 000026
【図２５】
2017028994.tif 000027
【図２６】
2017028994.tif 000028
【図２７】
2017028994.tif 000029
【図２８】
2017028994.tif 000030
【図２９】
2017028994.tif 000031
【図３０】
2017028994.tif 000032
【図３１】
2017028994.tif 000033
【図３２】
2017028994.tif 000034
【図３３】
2017028994.tif 000035
【図３４】
2017028994.tif 000036
【図３５】
2017028994.tif 000037
【図３６】
2017028994.tif 000038